(57)【特許請求の範囲】
【請求項１】
火災を監視し、火災検出時に火災警報処理を行う受信機と、
前記受信機の上位側に汎用伝送ラインを介して接続されたデータベースサーバと、
前記受信機及びデータベースサーバに前記汎用伝送ラインを介して接続された所定のイベントを監視する他設備の監視装置と、
受信機に火報伝送ラインを介して接続され、火災検出時に火災検出信号を前記受信機に送信する複数の火災感知器と、
前記火災感知器に無線回線を介して接続され、検出情報を含む上りイベント信号を、前記火災感知器を経由して前記受信機に送信すると共に、下りイベント信号を、前記火災感知器を経由して前記受信機から受信する複数の監視端末と、
前記火災感知器に設けられ、前記火災検出信号及び前記監視端末から受信した上りイベント信号を前記受信機に送信すると共に、前記受信機から受信した下りイベント信号を前記監視端末に送信する感知器中継部と、
前記受信機に設けられ、前記火災感知器から受信した上りイベント信号を前記データベースサーバ及び対応する他設備の監視装置に送信すると共に、前記他設備の監視装置から受信した下りイベント信号を対応する火災感知器に送信する受信機中継部と、
前記データベースサーバに設けられ、前記受信機から受信した上りイベント信号に含まれる前記検出情報を抽出してセンサデータベースに格納するセンサデータベース管理部と、
前記センサデータベースの検出情報を加工して加工済データを加工済データベースに保存し、前記他設備の監視装置からの検索要求に応じて前記加工済データベースを検索して検索結果を検索要求元に送信するデータベース加工部と、
を備えたことを特徴とする防災監視システム。
【請求項２】
請求項１記載の防災監視システムに於いて、
前記監視端末は、送信先の他設備を特定する宛先識別子と前記検出情報を含む上りイベント信号を送信し、
前記感知器中継部は、前記監視端末から受信した上りイベント信号に感知器アドレスを含めて前記受信機に送信し、
前記受信機中継部は、前記火災感知器から受信した上りイベント信号の感知器アドレスを、イベント発生場所を示すエリア情報に変換すると共に、イベント発生時刻を示す時刻情報を含めた上りイベント信号を前記宛先識別子により判別された他設備の監視装置に送信することを特徴とする防災監視システム。
【請求項３】
請求項１記載の防災監視システムに於いて、
前記他設備の監視装置は、エリア情報、端末制御情報及び送信元識別子を含む下りイベント信号を生成して前記受信機に送信し、
前記受信機中継部は、前記他設備の監視装置から受信した下りイベント信号のエリア情報を感知器アドレスに変換して前記火報伝送ラインに送信し、
前記感知器中継部は、自己の感知器アドレスを指定した下りイベント信号を受信して前記端末制御情報と送信元識別子を含む下りイベント信号を前記監視端末に送信し、
前記監視端末は、前記感知器中継部から受信した下りイベント信号を解読して前記端末制御情報に応じた制御、表示又は処理を行うことを特徴とする防災監視システム。
【請求項４】
請求項１記載の防災監視システムに於いて、前記無線回路は、電波通信、赤外線通信又は超音波通信により前記監視端末と感知器中継部との間を接続することを特徴とする防災監視システム。
【請求項５】
請求項１記載の防災監視システムに於いて、前記受信機と火災感知器との間で、火報ライン伝送プロトコルに従ってイベント信号を送受信し、
前記火報ライン伝送プロトコルは、
前記受信機から感知器アドレスを順次指定してポーリング信号を周期的に送信し、
前記火災感知器において自己アドレスに一致する前記ポーリング信号を受信した時に、前記上りイベント信号が受信されていたら割込信号を前記受信機に送信し、
前記受信機おいて前記割込信号を受信したら、グループアドレスを順次指定したグループ検索コマンド信号を順次送信して割込応答信号のあった感知器グループを特定し、
続いて前記受信機から特定した感知器グループに属する感知器アドレスを順次指定したグループ内検索コマンド信号を送信し、
前記火災感知器において自己アドレスに一致する前記グループ内検索コマンド信号を受信した時に、前記上りイベント信号を前記受信機に送信することを特徴とする防災監視システム。
【請求項６】
火災を監視し、火災検出時に火災警報処理を行う受信機と、
前記受信機の上位側に汎用伝送ラインを介して接続されたデータベースサーバと、
前記受信機及びデータベースサーバに前記汎用伝送ラインを介して接続された所定のイベントを監視する他設備の監視装置と、
受信機の下位側に火報伝送ラインを介して接続された複数のエリアコントローラと、
前記複数のエリアコントローラ毎に前記火報伝送ラインを介して接続され、火災検出時に火災検出信号を前記エリアコントローラに送信する複数の火災感知器と、
前記火災感知器に無線回線を介して接続され、検出情報を含む上りイベント信号を、前記火災感知器を経由して前記エリアコントローラに送信すると共に、下りイベント信号を、前記火災感知器を経由して前記エリアコントローラから受信する複数の監視端末と、
前記火災感知器に設けられ、前記火災検出信号及び前記監視端末から受信した上りイベント信号を前記エリアコントローラに送信すると共に、前記エリアコントローラから受信した下りイベント信号を前記監視端末に送信する感知器中継部と、
前記エリアコントローラに設けられ、前記火災感知器から受信した前記火災検出信号及び前記火災感知器を経由して前記複数の監視端末から受信して処理した上りイベント信号を前記受信機に送信すると共に、前記受信機から受信して処理した下りイベント信号を、前記火災感知器を経由して複数の前記監視端末に送信するエリアコントローラ中継部と、
前記受信機に設けられ、前記エリアコントローラから受信して処理した上りイベント信号を対応する他設備の監視装置に送信すると共に、前記他設備の監視装置から受信して処理した下りイベント信号を対応するエリアコントローラに送信する受信機中継部と、
前記エリアコントローラに設けられ、前記火災感知器から受信した上りイベント信号に含まれる前記検出情報を抽出してセンサデータベースに格納するセンサデータベース管理部と、
前記エリアコントローラに設けられ、前記センサデータベースの検出情報を加工して加工済データを生成し、前記加工済データを含む上りイベント信号を生成して前記受信機を経由して前記データベースサーバに送信するデータベース加工部と、
前記データベースサーバに設けられ、前記受信機を経由して前記エリアコントローラから送信された上りイベント信号に含まれる加工済データを加工済データベースに保存し、前記他設備の監視装置からの検索要求に応じて前記加工済データベースを検索して検索結果を検索要求元に送信する加工済データベース管理部と、
を備えたことを特徴とする防災監視システム。
【請求項７】
請求項６記載の防災監視システムに於いて、前記エリアコントローラは、前記火災感知器を経由して前記複数の監視端末から受信した上りイベント信号に含まれる前記検出情報の演算により所定の監視情報に集約し、集約した監視情報を含む上りイベント信号を、前記受信機を経由して対応する他設備の監視装置に送信する監視演算部を備えたことを特徴とする防災監視システム。
【請求項８】
請求項６記載の防災監視システムに於いて、前記エリアコントローラは、前記受信機を経由して他設備の監視装置から受信した下りイベント信号に含まれる制御情報の演算により１又は複数のイベント監視端末に分配する制御情報を生成し、生成した制御情報を含む下りイベント信号を、前記火災感知器を経由して対応する１又は複数の監視端末に送信する制御演算部を備えたことを特徴とする防災監視システム。
【請求項９】
請求項６記載の防災監視システムに於いて、
前記監視端末は、送信先の他設備を特定する宛先識別子と前記検出情報を含む上りイベント信号を送信し、
前記感知器中継部は、前記監視端末から受信した上りイベント信号に感知器アドレスを含めて前記エリアコントローラに送信し、
前記エリアコントローラ中継部は、前記火災感知器から受信した上りイベント信号の感知器アドレスを、イベント発生場所を示すエリア情報に変換すると共に、前記検出情報から演算された監視情報及びイベント発生時刻を示す時刻情報を含めた上りイベント信号を前記受信機に送信し、
前記受信機中継部は、前記エリアコントローラから受信した上りイベント信号を前記宛先識別子により判別された他設備の監視装置に送信することを特徴とする防災監視システム。
【請求項１０】
請求項６記載の防災監視システムに於いて、
前記他設備の監視装置は、エリア情報、制御情報及び送信元識別子を含む下りイベント信号を生成して前記受信機に送信し、
前記受信機中継部は、前記他設備の監視装置から受信した下りイベント信号を、前記エリア情報に対応した前記エリアコントローラに送信し、
前記エリアコントローラ中継部は、前記受信機から受信した下りイベント信号のエリア情報から変換した感知器アドレス及び前記制御情報から演算された端末制御情報を含む下りイベント信号を生成して前記火報伝送ラインに送信し、
前記感知器中継部は、自己の感知器アドレスを指定した下りイベント信号を受信して前記端末制御情報と送信元識別子を含む下りイベント信号を前記監視端末に送信し、
前記監視端末は、前記感知器中継部から受信した下りイベント信号を解読して前記端末制御情報に応じた処理を実行することを特徴とする防災監視システム。
【請求項１１】
請求項６記載の防災監視システムに於いて、前記無線回路は、電波通信、赤外線通信又は超音波通信により前記監視端末と感知器中継部との間を接続することを特徴とする防災監視システム。
【請求項１２】
請求項６記載の防災監視システムに於いて、前記受信機とエリアコントローラとの間、及び前記エリアコントローラと火災感知器との間で、火報ライン伝送プロトコルに従ってイベント信号を送受信し、
前記前記受信機とエリアコントローラとの間の火報ライン伝送プロトコルは、
前記受信機からエリアコントローラアドレスを順次指定してポーリング信号を周期的に送信し、
前記エリアコントローラにおいて自己アドレスに一致する前記ポーリング信号を受信した時に、前記上りイベント信号の送信要求が存在したら割込信号を前記受信機に送信し、
前記受信機において割込信号を受信したら、グループアドレスを順次指定したグループ検索コマンド信号を順次送信して割込応答信号のあったエリアコントローラグループを特定し、
続いて前記受信機から特定したエリアコントローラグループに属するアドレスを順次指定してグループ内検索コマンド信号を送信し、
前記エリアコントローラにおいて自己アドレスに一致する前記グループ内検索コマンド信号を受信した時に、前記上りイベント信号を前記受信機に送信し、
前記エリアコントローラと火災感知器との間の火報ライン伝送プロトコルは、
前記エリアコントローラから感知器アドレスを順次指定してポーリング信号を周期的に送信し、
前記火災感知器において自己アドレスに一致する前記ポーリング信号を受信した時に、前記上りイベント信号が受信されていたら割込信号をエリアコントローラに送信し、
前記エリアコントローラおいて前記割込信号を受信したら、グループアドレスを順次指定したグループ検索コマンド信号を順次送信して割込応答信号のあった感知器グループを特定し、
続いて前記エリアコントローラから特定した感知器グループに属する感知器アドレスを順次指定したグループ内検索コマンド信号を送信し、
前記火災感知器において自己アドレスに一致する前記グループ内検索コマンド信号を受信した時に、前記上りイベント信号を前記エリアコントローラに送信することを特徴とする防災監視システム。
【発明の詳細な説明】
【技術分野】
【０００１】
本発明は、受信機から引き出された感知器回線に伝送機能を備えた火災感知器を接続して火災などの異常を監視する防災監視システムに関する。
【背景技術】
【０００２】
従来の防災監視システムは、防災センタに受信機を設置し、警戒区域となる端末側には火災感知器、発信機、地区音響等の機器及び防排煙機器を設置し、それぞれ受信機からの伝送路に接続してシステムを構成している。
【０００３】
このような防災監視システムで火災感知器が作動して受信機で作動表示が行われた場合、防災監視システムの管理者は、防災センタの受信機に表示されている作動地区に出向いて現場の状況を確認し、確認後に防災センタに戻るか別の管理者に連絡して受信機で火災確定操作を行って地区音響警報を鳴動させた後、非常放送による避難誘導や消防機関への通報などの適切な処置を行うような運用となっている。
【０００４】
一方、防災監視システムが設置される建物などの施設にあっては、同時に、セキュリティシステム、空調システム、入退出管理システムといった監視や制御のための別の設備を設置しており、設備毎に専用のライン（配線）を敷設してシステムを構築している。
【特許文献１】特開２００６−０４８２１１号公報
【特許文献２】特開平５−００６４９２号公報
【発明の開示】
【発明が解決しようとする課題】
【０００５】
しかしながら、このような従来の同じ建物に設置される防災監視システムを含む複数の設備にあっては、設備毎に専用の配線を敷設してシステムを構築する必要があり、設備の導入に大きなコストがかかっている。また、この種の設備にあっては、設備の監視装置において端末に設置したセンサ等の機器について、制御又は監視のために端末の場所を把握することが必要となり、場所を把握するための仕組みを設けるために大掛かりなシステムになってしまうという問題がある。
【０００６】
この問題を解消するため、本願発明者にあっては、防災監視設備の火報伝送ラインを利用して他設備の端末と監視装置の間の情報伝送を可能とするシステムを提案している（特願２００８−６３８４９）。
【０００７】
ところで、防災監視システムで使用されている伝送機能を備えた火災感知器は、火災による煙濃度や温度をアナログデータとして検出して受信機に伝送することができ、このため煙センサや温度センサとして機能しており、火災感知器で検出した煙データや温度データについては、受信機に自動的に蓄積するようにしている。
【０００８】
しかしながら、受信機に蓄積されている火災感知器の煙データや温度データは火災監視の用途のみに使用されており、受信機に自動的に蓄積されるセンサデータを有効に活用することができない問題があった。
【０００９】
本発明は、火報伝送ラインを利用した他設備の端末監視制御において、火災感知器及び監視端末で検出されたセンサデータを火災監視以外の用途に活用可能として付加価値の高い防災監視システムを提供することを目的とする。
【課題を解決するための手段】
【００１０】
（基本システム）
本発明は防災監視システムであって、
火災を監視し、火災検出時に火災警報処理を行う受信機と、
受信機の上位側に汎用伝送ラインを介して接続されたデータベースサーバと、
受信機及びデータベースサーバに汎用伝送ラインを介して接続された所定のイベントを監視する他設備の監視装置と、
受信機に火報伝送ラインを介して接続され、火災検出時に火災検出信号を受信機に送信する複数の火災感知器と、
火災感知器に無線回線を介して接続され、検出情報を含む上りイベント信号を、火災感知器を経由して受信機に送信すると共に、下りイベント信号を、火災感知器を経由して受信機から受信する複数の監視端末と、
火災感知器に設けられ、火災検出信号及び監視端末から受信した上りイベント信号を受信機に送信すると共に、受信機から受信した下りイベント信号を監視端末に送信する感知器中継部と、
受信機に設けられ、火災感知器から受信した上りイベント信号をデータベースサーバ及び対応する他設備の監視装置に送信すると共に、他設備の監視装置から受信した下りイベント信号を対応する火災感知器に送信する受信機中継部と、
データベースサーバに設けられ、受信機から受信した上りイベント信号に含まれる検出情報を抽出してセンサデータベースに格納するセンサデータベース管理部と、
センサデータベースの検出情報を加工して加工済データを加工済データベースに保存し、他設備の監視装置からの検索要求に応じて加工済データベースを検索して検索結果を検索要求元に送信するデータベース加工部と、
を備えたことを特徴とする。
【００１１】
ここで、監視端末は、送信先の他設備を特定する宛先識別子と検出情報を含む上りイベント信号を送信し、
感知器中継部は、監視端末から受信した上りイベント信号に感知器アドレスを含めて受信機に送信し、
受信機中継部は、火災感知器から受信した上りイベント信号の感知器アドレスを、イベント発生場所を示すエリア情報に変換すると共に、イベント発生時刻を示す時刻情報を含めた上りイベント信号を宛先識別子により判別された他設備の監視装置に送信する。
【００１２】
他設備の監視装置は、エリア情報、端末制御情報及び送信元識別子を含む下りイベント信号を生成して受信機に送信し、
受信機中継部は、他設備の監視装置から受信した下りイベント信号のエリア情報を感知器アドレスに変換して火報伝送ラインに送信し、
感知器中継部は、自己の感知器アドレスを指定した下りイベント信号を受信して端末制御情報と送信元識別子を含む下りイベント信号を監視端末に送信し、
監視端末は、感知器中継部から受信した下りイベント信号を解読して端末制御情報に応じた制御、表示又は処理を行う。
【００１３】
無線回路は、電波通信、有線通信、赤外線通信又は超音波通信により監視端末と感知器中継部との間を接続する。
【００１４】
受信機と火災感知器との間で、火報ライン伝送プロトコルに従ってイベント信号を送受信し、
火報ライン伝送プロトコルは、
受信機から感知器アドレスを順次指定してポーリング信号を周期的に送信し、
火災感知器において自己アドレスに一致するポーリング信号を受信した時に、上りイベント信号が受信されていたら割込信号を前記受信機に送信し、
受信機おいて割込信号を受信したら、グループアドレスを順次指定したグループ検索コマンド信号を順次送信して割込応答信号のあった感知器グループを特定し、
続いて受信機から特定した感知器グループに属する感知器アドレスを順次指定したグループ内検索コマンド信号を送信し、
火災感知器において自己アドレスに一致する前記グループ内検索コマンド信号を受信した時に、前記上りイベント信号を受信機に送信する。
（エリアコントローラを含むシステム）
本発明による防災監視システムの別の形態にあっては、
火災を監視し、火災検出時に火災警報処理を行う受信機と、
受信機の上位側に汎用伝送ラインを介して接続されたデータベースサーバと、
受信機及びデータベースサーバに汎用伝送ラインを介して接続された所定のイベントを監視する他設備の監視装置と、
受信機の下位側に火報伝送ラインを介して接続された複数のエリアコントローラと、
複数のエリアコントローラ毎に火報伝送ラインを介して接続され、火災検出時に火災検出信号をエリアコントローラに送信する複数の火災感知器と、
火災感知器に無線回線を介して接続され、検出情報を含む上りイベント信号を、火災感知器を経由してエリアコントローラに送信すると共に、下りイベント信号を、火災感知器を経由してエリアコントローラから受信する複数の監視端末と、
火災感知器に設けられ、火災検出信号及び監視端末から受信した上りイベント信号をエリアコントローラに送信すると共に、エリアコントローラから受信した下りイベント信号を前記監視端末に送信する感知器中継部と、
エリアコントローラに設けられ、火災感知器から受信した火災検出信号及び火災感知器を経由して複数の監視端末から受信して処理した上りイベント信号を受信機に送信すると共に、受信機から受信して処理した下りイベント信号を、火災感知器を経由して複数の監視端末に送信するエリアコントローラ中継部と、
受信機に設けられ、エリアコントローラから受信して処理した上りイベント信号を対応する他設備の監視装置に送信すると共に、他設備の監視装置から受信して処理した下りイベント信号を対応するエリアコントローラに送信する受信機中継部と、
エリアコントローラに設けられ、火災感知器から受信した上りイベント信号に含まれる検出情報を抽出してセンサデータベースに格納するセンサデータベース管理部と、
エリアコントローラに設けられ、センサデータベースの検出情報を加工して加工済データを生成し、加工済データを含む上りイベント信号を生成して受信機を経由してデータベースサーバに送信するデータベース加工部と、
データベースサーバに設けられ、受信機を経由してエリアコントローラから送信された上りイベント信号に含まれる加工済データを加工済データベースに保存し、他設備の監視装置からの検索要求に応じて加工済データベースを検索して検索結果を検索要求元に送信する加工済データベース管理部と、
を備えたことを特徴とする。
【００１５】
エリアコントローラは、火災感知器を経由して複数の監視端末から受信した上りイベント信号に含まれる検出情報の演算により所定の監視情報に集約し、集約した監視情報を含む上りイベント信号を、受信機を経由して対応する他設備の監視装置に送信する。
【００１６】
また、エリアコントローラは、受信機を経由して他設備の監視装置から受信した下りイベント信号に含まれる制御情報の演算により１又は複数のイベント監視端末に分配する制御情報を生成し、生成した制御情報を含む下りイベント信号を、火災感知器を経由して対応する１又は複数の監視端末に送信する。
【００１７】
監視端末は、送信先の他設備を特定する宛先識別子と検出情報を含む上りイベント信号を送信し、
感知器中継部は、監視端末から受信した上りイベント信号に感知器アドレスを含めてエリアコントローラに送信し、
エリアコントローラ中継部は、火災感知器から受信した上りイベント信号の感知器アドレスを、イベント発生場所を示すエリア情報に変換すると共に、検出情報から演算された監視情報及びイベント発生時刻を示す時刻情報を含めた上りイベント信号を受信機に送信し、
受信機中継部は、エリアコントローラから受信した上りイベント信号を宛先識別子により判別された他設備の監視装置に送信する。
【００１８】
また、他設備の監視装置は、エリア情報、制御情報及び送信元識別子を含む下りイベント信号を生成して受信機に送信し、
受信機中継部は、他設備の監視装置から受信した下りイベント信号を、エリア情報に対応したエリアコントローラに送信し、
エリアコントローラ中継部は、受信機から受信した下りイベント信号のエリア情報から変換した感知器アドレス及び制御情報から演算された端末制御情報を含む下りイベント信号を生成して火報伝送ラインに送信し、
感知器中継部は、自己の感知器アドレスを指定した下りイベント信号を受信して端末制御情報と送信元識別子を含む下りイベント信号を監視端末に送信し、
監視端末は、感知器中継部から受信した下りイベント信号を解読して端末制御情報に応じた処理を実行する。
【００１９】
受信機とエリアコントローラとの間、及び記エリアコントローラと火災感知器との間で、火報ライン伝送プロトコルに従ってイベント信号を送受信し、
受信機とエリアコントローラとの間の火報ライン伝送プロトコルは、
受信機からエリアコントローラアドレスを順次指定してポーリング信号を周期的に送信し、
エリアコントローラにおいて自己アドレスに一致するポーリング信号を受信した時に、上りイベント信号の送信要求が存在したら割込信号を受信機に送信し、
受信機において割込信号を受信したら、グループアドレスを順次指定したグループ検索コマンド信号を順次送信して割込応答信号のあったエリアコントローラグループを特定し、
続いて受信機から特定したエリアコントローラグループに属するアドレスを順次指定してグループ内検索コマンド信号を送信し、
エリアコントローラにおいて自己アドレスに一致するグループ内検索コマンド信号を受信した時に、上りイベント信号を前記受信機に送信し、
エリアコントローラと火災感知器との間の火報ライン伝送プロトコルは、
エリアコントローラから感知器アドレスを順次指定してポーリング信号を周期的に送信し、
火災感知器において自己アドレスに一致する前記ポーリング信号を受信した時に、上りイベント信号が受信されていたら割込信号をエリアコントローラに送信し、
エリアコントローラおいて割込信号を受信したら、グループアドレスを順次指定したグループ検索コマンド信号を順次送信して割込応答信号のあった感知器グループを特定し、
続いてエリアコントローラから特定した感知器グループに属する感知器アドレスを順次指定したグループ内検索コマンド信号を送信し、
火災感知器において自己アドレスに一致するグループ内検索コマンド信号を受信した時に、上りイベント信号を前記エリアコントローラに送信する。
【発明の効果】
【００２０】
本発明によれば、火災感知器で検出されて受信機に送られる煙データや温度データ、更には監視端末で検出されて受信機を経由して他設備の監視装置に送られる非常押し釦、ＣＯセンサ、人数カウンタ、電力センサなどの検出データが受信機の上位側に配置されたデータベースサーバで収集されてセンサデータベースに蓄積することにより、火災監視以外の用途に活用できる。
【００２１】
また、センサデータベースに蓄積している火災感知器や監視端末の検出データを加工して例えば避難誘導情報、省エネルギー情報、商品提供情報などに加工して加工済データベースに蓄積し、他設備の監視装置からの検索要求に対し加工済データベースを検索して検索結果を応答することにより、収集したセンサデータの付加価値の高いデータを配信することができる。
【００２２】
また、本発明によれば、受信機と火災感知器を結ぶ火報伝送ラインの途中に、例えば建物の階別に分けてエリアコントローラを設置し、エリアコントローラにおいてセンサデータの収集と加工を行うことで、受信機の上位側に配置したデータベースサーバの処理負担を低減すると共に、センサデータをそのまま受信機を経由してデータベースサーバに送る必要がないため、エリアコントローラと受信機との間のトラヒックを低減することができる。
【発明を実施するための最良の形態】
【００２３】
図１は本発明による防災監視システムの第１実施形態を示した説明図である。図１において、防災センタなどに設置された受信機１０からは、建物内の監視エリア１１に向けて火報伝送ライン１２が複数系統引き出されており、火報伝送ライン１２には伝送機能を備えた火災感知器１４が接続されている。
【００２４】
火災感知器１４のそれぞれには固有の感知器アドレスが予め設定されている。感知器アドレスは例えば８ビットアドレスであり、したがって火報伝送ライン１２の１回線当たり最大２５５アドレスまでの火災感知器１４を接続することができる。
【００２５】
受信機１０と火災感知器１４の間の火報伝送ライン１２の伝送は、火報ライン伝送プロトコルに従って行う。１対ｎ通信となる火報ライン伝送プロトコルは例えば次の手順に従う。
【００２６】
（１）  上位装置から複数の下位装置を順次指定してポーリング信号を周期的に送信する。
【００２７】
（２）  下位装置において自己アドレスに一致するポーリング信号を受信した時に、送信要求が存在したら割込信号を上位装置に送信する。
【００２８】
（３）  上位装置において割込信号を受信したら、グループアドレスを順次指定したグループ検索コマンド信号を下位装置に順次送信して割込応答信号のあった下位装置のグループを特定する。
【００２９】
（４）  上位装置から特定した下位装置のグループに属するアドレスを順次指定してグループ内検索コマンド信号を送信する。
【００３０】
（５）  下位装置において自己アドレスに一致するグループ内検索コマンド信号を受信した時に送信要求に基づく信号を上位装置に送信する。
【００３１】
この火報ライン伝送プロトコルによる伝送処理を受信機１０と火災感知器１４について具体的に説明すると次のようになる。
【００３２】
受信機１０は、通常の監視時にあっては、感知器アドレスを順次指定した正常監視用のポーリングコマンドを送信しており、火災感知器１４は自己の設定アドレスに一致するポーリングコマンドを受信すると、正常監視応答を行う。このため受信機１０にあっては、ポーリングコマンドに対し応答がなかった火災感知器１４があった場合には、その感知器の障害を検出することができる。
【００３３】
火災感知器１４は、受信機１０の全ての感知器アドレスに対するポーリングコマンドの送信周期ごとに繰り返し出力される一括ＡＤ変換コマンドを受信した際に、内蔵した火災検出機構における煙濃度や温度などのアナログ検出データをサンプリングし、予め定めた火災レベルと比較し、火災レベルを超えたときに火災を検出するようにしている。
【００３４】
火災感知器１４は、一括ＡＤ変換コマンドに基づくサンプリング結果から火災を判断した場合には、その後の自己の感知器アドレスを指定したポーリングコマンドのタイミングで、受信機１０に対し割込信号を送信する。割込信号は応答ビットをオール１とするような通常は使用されない信号を送る。
【００３５】
受信機１０は火災感知器１４側からの割込信号を受信すると、グループ検索コマンドを発行して、火災検出した火災感知器を含むグループからの割込応答を受信してグループを判別し、続いて、判別したグループに含まれる個々の火災感知器に対し、順次アドレスを指定したポーリングを行い、火災応答を受けることで、火災を検出した火災感知器１４の感知器アドレスを認識し、火災警報動作を行うことになる。
【００３６】
火報伝送ライン１２に接続される最大２５５台の火災感知器１４は、例えば８台ごとにグループアドレスが設定されており、受信機１０からのグループ検索コマンドに対し、火災を検出している感知器が含まれるグループから割込応答が行われ、火災を検出している火災感知器１４を含むグループを特定できるようにしている。
このような火報伝送ライン１２を介して受信機１０及び伝送機能を有する火災感知器１４を接続した防災監視システムに加え、本実施形態にあっては、同じ施設内に防犯監視システム、省エネルギーシステム、及び入退出管理システムといった他の設備が同時に設置されており、この他設備に対応して他設備監視装置３６，３８，４０が設置されている。
【００３７】
また火災感知器１４を設置している監視エリア１１には、他設備監視装置３６，３８，４０に対応して監視端末として、非常押釦装置１６、人数カウンタ１８、電力センサ２０、ＣＯセンサ２２、温度センサ２４、カードリーダ２６、ＲＦＩＤタグ３０や携帯電話用の無線中継器３０などが設置されている。
【００３８】
これらの監視端末は、所定のイベントを検出した時に、送信先の他設備を特定する宛先識別子となるベンダ識別子と検出情報を含む上りイベント信号を火災感知器１４に送信する。また監視端末には表示機能や制御機能が設けられている場合があり、この場合には火災感知器１４から端末制御信号を受信して処理を実行する。更に、監視端末以外に、制御専用の制御端末を設ける場合もある。
【００３９】
この監視端末から他設備監視装置３６，３８，４０側に送信するイベント信号を、以下、上りイベント電文（上りイベント信号）という。これに対し、他設備監視装置３６，３８，４０から監視端末に対し送るイベント信号を、以下、下りイベント電文（下りイベント信号）という。
【００４０】
監視端末としての非常押釦装置１６、人数カウンタ１８、電力センサ２０、ＣＯセンサ２２、温度センサ２４、カードリーダ２６、無線中継器２８のそれぞれは、火災感知器１４に対し無線回線で接続されている。例えば非常押釦装置１６で押ボタン操作によるイベントが発生すると、送信先（宛先）を示すベンダ識別子（ベンダＩＤ）と、非常押ボタンのオンオフを示すイベント情報（検出情報）をもつ上りイベント電文が生成されて無線送信され、通信可能エリアに存在する火災感知器１４で受信される。
【００４１】
非常押釦装置１６からの上りイベント電文を受信した火災感知器１４は、上りイベント電文に感知器アドレスを含ませた上りイベント電文に変換して受信機１０に火報ライン伝送プロトコルに従って送信する。
【００４２】
即ち、火災感知器１４が非常押釦装置１６から上りイベント電文を受信すると、受信機１０からの感知器アドレスを指定したポーリングコマンドの受信に対し、火災検出時と同様に割込信号を送信する。
【００４３】
受信機１０は火災感知器１４からの割込信号を受信すると、グループ検索コマンドを送信し、上りイベント電文を受信した火災感知器からの割込応答を受信することで、グループアドレスを特定する。
【００４４】
グループアドレスを特定したら、グループ内に含まれる８台の火災感知器１４の感知器アドレスを順次指定したポーリングを行う。このため上りイベント電文を受信している火災感知器１４は、受信機１０からのグループ内の感知器アドレスを指定したポーリングによる自己アドレスの判別で、感知器アドレスを含ませた上りイベント電文を火報伝送ライン１２を介して受信機１０に送信する。
【００４５】
受信機１０に対しては、他設備監視装置３６，３８，４０が汎用伝送ライン３２を介して接続されている。汎用伝送ライン３２としては、例えばＲＳ−２３２ＣやＲＳ−４８５などの伝送インタフェースが適用された伝送ラインを使用する。イーサネット（Ｒ）等を使用しても良い。
【００４６】
受信機１０は火災感知器１４から上りイベント電文を受信すると、これに感知器アドレスなどから作成したエリア情報と時刻情報を付加した上りイベント電文を生成し、火報ライン伝送プロトコルに従って他設備監視装置３６，３８，４０に送信する。
【００４７】
他設備監視装置３６，３８，４０は受信機１０から受信した上りイベント電文を解読し、そこに含まれているイベント識別子から自己宛か否か判別し、自己宛であることを判別すると、エリア情報、時刻情報、更に集約された監視情報に基づき、監視エリア１１で発生した監視情報に応じた表示、制御、処理、保存などの処理を行うことになる。
【００４８】
また他設備監視装置３６，３８，４０は、それぞれに対応して設けた監視端末及び制御端末に対し、表示、制御などの適宜の処理のために端末制御情報を含む下りイベント電文を送信することができる。
【００４９】
例えば他設備監視装置３６から非常押釦装置１６に情報を送って表示させたい場合には、この表示情報を制御情報とし、非常押釦装置１６の設置場所を示すエリア情報を含む下りイベント電文を、汎用伝送ライン３２を介して受信機１０に送信する。
【００５０】
受信機１０は下りイベント電文を受信すると、そのエリア情報から該当する火災感知器１４のアドレスを識別し、火災感知器１４のポーリングタイミングで、指定アドレスを含む下りイベント電文を火報伝送ライン１２に送信する。
【００５１】
非常押釦装置１６に対応した火災感知器１４は、自己アドレスを指定した下りイベント電文を受信すると、そのまま下りイベント電文として非常押釦装置１６に送信する。非常押釦装置１６は、受信した下りイベント電文に含まれる端末制御情報に基づき、例えば表示動作などを行う。
【００５２】
受信機１０の上位側には更にデータベースサーバ３４が汎用伝送ライン３２を介して接続される。データベースサーバ３４は、受信機１０から受信した上りイベント電文に含まれる非常押釦装置１６、人数カウンタ１８、電力センサ２０、ＣＯセンサ２２、温度センサ２４、カードリーダ２６、ＲＦＩＤタグ３０や携帯電話用の無線中継器３０などの監視端末からの検出情報を抽出してセンサレコードを生成し、データベースに格納する。
【００５３】
またデータベースサーバ３４は、データベースに収集した検出情報を加工して加工済データをデータベースに格納し、他設備監視装置３６，３８，４０からの検索要求に応じてデータベースを検索して検索結果を検索要求元に送信する。
【００５４】
図２は図１の受信機、火災感知器、監視端末、他設備監視装置及びデータベースの詳細を示したブロック図である。図２において、受信機１０にはＣＰＵ４２が設けられ、プログラムの実行により実現される機能として火災監視部４４と受信機中継部４６を設けている。
【００５５】
ＣＰＵ４２に対しては火報伝送部４８が設けられ、火報伝送部４８から火報伝送ライン１２が引き出され、火災感知器１４を接続している。またＣＰＵ４２に対し汎用伝送部５０が設けられ、汎用伝送部５０から汎用伝送ライン３２を介してデータベースサーバ３４及び他設備監視装置３６，３８，４０を接続している。
【００５６】
更にＣＰＵ４２に対しては、火災監視データベース５４、エリア管理テーブル５６及び他設備管理テーブル５２が設けられている。火災監視データベース５４には、火災監視に必要な各種の情報、例えば火災感知器１４における煙や熱といった種別、更には図示しない制御機器に対する連動情報などが格納されている。
【００５７】
エリア管理テーブル５６には、感知器アドレスを、感知器設置場所を示す警戒エリア、ブロック、フロア情報などに変換するための情報が格納されている。他設備管理テーブル５２には、上りイベント電文に含まれるベンダ識別子に対応した他設備名などが格納されている。
【００５８】
受信機１０に接続された火災感知器１４にはＣＰＵ５８が設けられ、ＣＰＵ５８にはプログラムにより実行される機能として火災検出部６０と感知器中継部６２が設けられている。
【００５９】
ＣＰＵ５８に対しては火報伝送部６４が設けられ、火報伝送部６４に火報伝送ライン１２を接続し、受信機１０との間で火報伝送プロトコルに従って電文の双方向伝送を行うようにしている。火災感知器１４に設けられた電源部７４は、受信機１０からの火報伝送ライン１２による電源供給を受け、感知器内部に電源を供給する。
【００６０】
この火災感知器１４に対する受信機１０からの電源供給については、通常時にあっては商用ＡＣ１００ボルトの整流による直流電源を供給しているが、停電に備えて、受信機１０には図示しないバッテリー電源が予備電源として設けられており、停電時には例えば３０分に亘りシステムの監視動作を補償する電源バックアップが行われる。
【００６１】
火災感知器１４のＣＰＵ５８に対しては、更に、センサ部６６、無線伝送部６８及び記憶部７２が設けられている。センサ部６６は光電式煙検出機構を備えた煙センサまたはサーミスタ等の検出素子を用いた熱センサが使用される。
【００６２】
記憶部７２には予め設定された感知器アドレスが記憶されており、記憶部７２としては不揮発性のメモリを使用している。無線伝送部６８は、アンテナ７０を介して監視端末１５との間で上りイベント電文、下りイベント電文の無線伝送を行う。無線伝送部６８は小電力無線局に対応しており、例えば４００ＭＨｚ帯の特定周波数を使用して１０ミリワット以下の送信電力で無線送信を行う。
【００６３】
監視端末１５にはＣＰＵ７６が設けられ、ＣＰＵ７６にはプログラムの実行により実現される機能として端末処理部７８が設けられている。ＣＰＵ７６に対し、この実施形態にあっては、非常押ボタン８０、表示部８２、記憶部８８及びアンテナ８６を備えた無線伝送部８４を設けている。
【００６４】
監視端末１５において、非常押ボタン８０の操作が行われると、ＣＰＵ７６の端末処理部７８がイベントを検出してイベント検出情報を生成し、記憶部７２に予め記憶されているイベントの伝送先を示す例えば他設備監視装置３６のベンダ識別子を含めた上りイベント電文を生成し、無線伝送部８４から小電力無線局の仕様に従った送信信号を作成して、アンテナ８６から送信することになる。
【００６５】
一方、受信機１０に対し汎用伝送ライン３２を介して接続したデータベースサーバ３４  にはＣＰＵ９２が設けられ、ＣＰＵ９２にはプログラムの実行により実現される機能としてデータベース管理部９４とデータベース加工部９６が設けられている。
【００６６】
データベース管理部９４は、受信機１０から受信した上りイベント信号に含まれる検出情報を抽出してセンサデータベース１００に格納する。データベース加工部９６は、センサデータベース１００に収集した検出情報を加工して加工済データを加工済データベース１０２に保存し、他設備監視装置３６からの検索要求に応じて加工済データベース１０２を検索して検索結果を検索要求元に送信する。
【００６７】
また、受信機１０に対し汎用伝送ライン３２を介して代表として示す他設備監視装置３６が接続され、他設備監視装置３６には汎用伝送部１０４、端末監視部１０６及び端末管理テーブル１０８が設けられている。端末監視部１０６は、その設備の監視処理内容に依存した処理手順を持っている。端末管理テーブル１０８には、監視端末に対し下りイベント電文を送信するために必要な情報として、端末識別子（端末ＩＤ）、種別及びエリア情報が格納されている。
【００６８】
図２において、防災監視システムとしての動作は、受信機１０のＣＰＵ４２に設けた火災監視部４４と火災感知器１４のＣＰＵ５８に設けた火災検出部６０により行われている。
【００６９】
一方、監視端末１５と他設備監視装置３６，３８，４０との間で上りイベント電文及び下りイベント電文を伝送するための処理は、受信機１０のＣＰＵ４２に設けた受信機中継部４６と、火災感知器１４のＣＰＵ５８に設けた感知器中継部６２により行われている。
【００７０】
即ち、監視端末１５のＣＰＵ７６に設けた端末処理部７８は、火災以外の所定のイベント、例えば非常押ボタン８０のボタン操作を検出し、送信先の他設備を特定する例えば他設備監視装置３６を示す宛先識別子であるベンダ識別子と、押ボタン８０のオンオフを示す検出情報を含む上りイベント電文を生成して無線送信する。
【００７１】
監視端末１５からの上りイベント電文を受信した火災感知器１４は、ＣＰＵ５８の感知器中継部６２により、受信した上りイベント電文に感知器アドレスを含めて受信機１０に送信する。
【００７２】
受信機１０のＣＰＵ４２に設けた受信機中継部４６は、火災感知器１４から受信した上りイベント電文の感知器アドレスを、イベント発生場所を示すエリア情報に変換すると共に、イベント発生時刻を示す時刻情報（タイムスタンプ）を含めた上りイベント電文を、宛先識別子であるベンダ識別子により判別された他設備監視装置３６に送信する。
【００７３】
他設備監視装置３６の端末監視部１０６は、受信機１０からの上りイベント電文を受信すると、そこに含まれるエリア情報、時刻情報、ベンダ情報及びイベント情報に基づいて、監視端末１５で送信した上りイベント情報に対応した監視、制御、表示などの処理を行う。
【００７４】
また受信機１０から汎用伝送ライン３２に送信された上りイベント電文はデータベースサーバ３４でも受信され、データベース管理部９４が上りイベント電文に含まれるエリア情報、時刻情報、ベンダ情報及びイベント情報（検出情報）に基づいて所定形式のセンサレコードを生成してセンサデータベース１００に格納し、所謂センサデータの収集を行う。
【００７５】
またデータベース加工部９６は、所定期間や所定の未処理レコード数といった所定の加工処理の開始タイミングを判別すると、センサデータベース１００に収集しているセンサレコードと、予め準備している個人ＩＤ、履歴学習データ、過去事例データ及び建物地図データなどを利用して加工処理を実行し、加工済データを含む所定形式の加工済レコードを生成して加工済データベース１０２に格納する。
【００７６】
更に、データベース加工部９６は、他設備監視装置３６側からの下りイベント電文による検索要求を受信すると、要求された検索条件に基づいて加工済データベースを検索し、検索結果として得られた加工済データを検索要求元に送信する。
【００７７】
一方、他設備監視装置３６から監視端末１５に下りイベント電文を伝送する際には、端末監視部１０６で端末監視テーブル１０８を参照し、監視端末１５の設置場所を示すエリア情報、及び監視端末１５に対する端末制御情報を含む下りイベント電文を生成し、受信機１０に伝送する。
【００７８】
受信機１０は、受信機中継部４６で下りイベント電文のエリア情報を、エリア監視テーブル５６の参照により感知器アドレスに変換し、変換した感知器アドレスのポーリングタイミングで下りイベント電文を火災感知器１４に送信する。
【００７９】
火災感知器１４の感知器中継部６２は、受信機１０から受信した下りイベント電文からイベント情報を取り出し、ベンダ識別子に基づき監視端末１５を特定して送信する。監視端末１５は、端末処理部７８において受信した下りイベント電文に含まれる端末制御情報から、例えば表示部８２に他設備監視装置３６から指示された内容を表示させる。
【００８０】
図３は第１実施形態におけるデータベースサーバの処理機能を示したブロック図である。図３において、データベースサーバ３４は、図２のＣＰＵ９２に示したように、プログラムにより実行される機能としてデータベース管理部９４とデータベース加工部９６を備えている。
【００８１】
データベース管理部９４に対しては、汎用伝送部９８−１により火災受信機１０を経由した火災感知器及び監視端末からの上りイベント電文が受信され、上りイベント電文に含まれている検出情報（イベント情報）に基づいて所定の形式を持ったセンサレコードを生成し、センサデータベース１００に格納する。
【００８２】
本実施形態にあっては、火災受信機１０の上位側に設けられた他設備監視装置３６，３８，４０として、例えば他設備監視装置３６は防災監視システムを構築しており、また他設備監視装置３８は空調監視システムを構築しており、更に他設備監視装置４０は入退出監視システムを構築している。
【００８３】
この他設備監視装置３６，３８，４０側の監視システムと監視エリア側に設けている監視端末との対応関係を見ると、防災監視システムを構築する他設備監視装置３６にあっては、非常押釦１６及び人数カウンタ１８の検出情報を処理し、空調監視システムを構築する他設備監視装置３８にあっては、ＣＯセンサ２２、電力センサ２０の検出情報を処理し、更に入退出監視システムを構築する他設備監視装置４０にあっては、人数カウンタ１８や無線中継器２８を経由して得られる商品に付されているＲＦＩＤタグ３０からの情報を処理する。
【００８４】
データベースサーバ３４に設けたデータベース加工部９６は、センサデータベース１００に蓄積された検出情報を含むセンサレコードを対象に加工処理を実行し、例えば加工済データベースとして、この実施形態にあっては避難誘導データベース１０２−１、省エネルギーデータベース１０２−２及び商品提供情報データベース１０２−３を構築している。
【００８５】
データベース加工部９６によるセンサデータベース１００の加工処理にあっては、更に予め準備された個人ＩＤデータベース１１０、履歴学習データベース１１２、過去事例データベース１１４及び建物地図データベース１１６の情報を利用した加工処理を行うことができる。
【００８６】
データベース加工部９６により作成された避難誘導データベース１０２−１、省エネルギーデータベース１０２−２、商品提供情報データベース１０２−３に対しては、他設備監視装置３６，３８，４０からの下りイベント電文による検索要求に基づいた検索処理が実行され、要求された検索条件に見合う加工済データを検索結果として取得して要求元に送信することになる。
【００８７】
図４は図３のデータベースサーバ３４のデータベース管理部９４で生成するセンサレコードを示した説明図である。図４において、センサレコード１１８は、データベースの管理番号となるＩＤ、上りイベント電文から得られたセンサデータとしてのイベント情報、センサの種別などを示すセンサＩＤ、ベンダ識別子、エリア情報、更に時刻情報で構成されている。
【００８８】
このようなセンサレコード１１８をデータベースサーバ３４で収集してセンサデータベースサーバ１００に蓄積することで、本実施形態の防災監視システムの警戒エリアに設置している火災感知器１４の機能として実現される煙センサ１４−１、熱センサ１４−２に加え、監視端末として設けられている非常押釦装置１６、ＣＯセンサ２２、人数カウンタ１８、電力センサ２０、無線中継器２８を経由して得られるＲＦＩＤタグなどのセンサ情報をリアルタイムで収集して、データベースサーバ３４に蓄積することができる。
【００８９】
図５は図３のデータベースサーバ３４のデータベース加工部９６で生成する加工済レコードを示した説明図である。
【００９０】
図５（Ａ）は図３の避難誘導データベース１０２−１に格納される避難誘導レコード１２０であり、例えば受信機１０において火災検出が行われたとき、センサデータベース１００に格納されている火災感知器に基づく煙センサ１４−１及び熱センサ１４−２の検出情報を含む図４のセンサレコード１１８を対象に、データベース加工処理により作成される。
【００９１】
この避難誘導レコード１２０は、データベース管理番号であるＩＤに続き、火災発生場所、火災発生階、避難経路情報、直上階避難経路情報及び直下階避難経路情報を含んでいる。これらの避難経路情報は、図３における建物地図データベース１１６と火災検出を示すセンサレコードの加工処理により生成されたレコードである。
【００９２】
図５（Ｂ）は図３の省エネルギーデータベース１０２−２に格納される空調省エネルギーレコード１２２を示している。図３の空調監視システムを構築する他設備監視装置３８にあっては、警戒区域における空調監視として省エネルギーとする空調運転を監視しており、このため空調省エネルギーレコード１２２にあっては、例えば予め定めた一定時間ごとに、センサデータベース１００に格納しているＣＯセンサ２２や電力センサ２０の検出情報を含むセンサレコードを対象に、データベース加工処理を実行して作成される。
【００９３】
空調省エネルギーレコード１２２にあっては、データベース管理番号となるＩＤに続き、空調地区省エネ空調条件、標準電力量、実電力量、電力低減割合を含んでいる。
【００９４】
図５（Ｃ）は、図３の商品提供情報データベース１０２−３に格納される商品販売レコード１２４を示している。商品提供情報データベース１０２−３は、例えば入退出監視システムを構築する他設備監視装置４０の監視エリアに入居している例えば店舗の利用状況を監視するために使用される。
【００９５】
商品販売レコード１２４は、センサデータベース１００に蓄積されている例えば人数カウンタ１８のセンサレコード、及び無線中継器２８を経由して得られた商品に付されているＲＦＩＤタグ３０からの情報を含むセンサレコードを対象にデータベース加工処理を実行することで作成されている。
【００９６】
この商品販売レコード１２４には、データベース管理番号となるＩＤに続き、商品コード、販売フロア、日販売数、週販売数、月販売数、通年販売数、更に他の商品との売れ具合を示すランキングが含まれている。
【００９７】
図５（Ｄ）は同じく図３の商品提供情報データベース１０２−３に格納される来客レコード１２６を示している。来客レコード１２６は、センサデータベース１００に蓄積されている人数カウンタ１８の検出情報をイベント情報として含むセンサレコードを対象にデータベース加工処理により作成されている。
【００９８】
この来客レコード１２６は、データベース管理番号となるＩＤに続き、店舗コード、日来客数、週来客数、月来客数、通年来客数、更に他店舗に対する順位を示すランキングが含まれている。
【００９９】
この図５に示すような避難誘導レコード１２０、空調省エネルギーレコード１２２、商品販売レコード１２４、更には来客レコード１２６などが、データベースサーバ３４においてセンサデータベース１００に収集されたセンサデータの加工処理により生成されていることから、他設備監視装置３６，３８，４０側において、それぞれが構築しているシステムのニーズに応じ、データベースサーバ３４に対し必要な検索要求を出すことで対応するレコードが検索され、上りイベント電文により検索結果が他設備監視装置３６，３８，４０側に送られ、ディスプレイなどに検索結果として表示することができる。
【０１００】
このため、火災監視を対象とした防災監視システムでありながら、同じ警戒区域に設置している火災以外のセンサによる情報を収集すると同時に、その収集結果を加工することで防災監視システムの情報を他システムに反映させることができ、防災監視システムとしての付加価値を大幅に高めることができる。
【０１０１】
図６は第１実施形態の受信機１０と火災感知器１４の間で伝送される呼出電文と応答電文のフォーマットを示した説明図である。図６（Ａ）は受信機１０から火災感知器１４に送信する呼出電文１２８であり、８ビットのコマンド、アドレス及びチェックサムで構成されており、それぞれの先頭にスタートビットが設けられ、また末尾にパリティビットＰＲとストップビットを配置している。
【０１０２】
図６（Ｂ）は火災感知器１４から受信機１０に送信される応答電文１３０である。応答電文１３０は８ビットのデータとアドレスチェックサムで構成されており、それぞれの先頭にスタートビットが設けられ、末尾にパリティビットＰＲとストップビットを配置している。
【０１０３】
図６（Ａ）の呼出電文１２８で使用するコマンドとしては、通常監視時に感知器の正常応答を求めるポーリングコマンド、火災割込みに対しグループ検索を行うグループ検索コマンドなどが主なものである。
【０１０４】
図７は第１実施形態における上りイベント電文のフォーマットを示した説明図である。図７（Ａ）は監視端末１５から火災感知器１４に送信される上りイベント電文１３２−１である。この上りイベント電文１３２−１は、電文の宛先を示す他設備を表すベンダ識別子１３４と、押ボタンスイッチのオンオフ情報などを含むイベント情報１３６で構成される。また、イベント電文１２２−１の先頭にはスタートビットが設けられ、末尾にはパリティビットとストップビットが配置されている。
【０１０５】
上りイベント電文１３２−１におけるベンダ識別子１３４とイベント情報１３６は、図７（Ａ）の応答電文１３０のデータに対応して８ビットであるが、この８ビットのデータ部は必要に応じて可変することができ、イベント情報１３６としてオンオフ情報以外に画像などのデータも送ることができる。
【０１０６】
図７（Ｂ）は火災感知器１４から受信機１０に送信される上りイベント電文１３２−２を示す。上りイベント電文１３２−２はデータ部１３８とアドレス＋チェックサム１４０で構成され、これは図７（Ｂ）の応答電文１３０に対応している。上りイベント電文１３２−２のデータ１３８には、図６（Ａ）の監視端末１５側から受信した上りイベント電文１３２−１に含まれているベンダ識別子１３４とイベント情報１３６が配置される。
【０１０７】
図７（Ｃ）は受信機１０から他設備監視装置３６，３８，４０に送信される上りイベント電文１３２−３を示す。上りイベント電文１３２−３は、汎用伝送ライン３２の伝送インタフェースである例えばＲＳ−２３２Ｃに対応したフォーマットとして、ヘッダ１４２、データ１４４及びＣＲＣ１４５で構成されている。
【０１０８】
データ１４４の部分には、図７（Ｂ）の上りイベント電文１３２−２のデータ１３８を構成しているベンダ識別子１３４とイベント情報１３６に加え、上りイベント電文１３２−２の感知器アドレスから変換したエリア情報１４６と、上りイベント電文１３２−２の受信時刻に対応したタイムスタンプなどを用いた時刻情報１４８を付加している。
【０１０９】
図８は本実施形態における下りイベント電文のフォーマットを示した説明図である。図８（Ａ）は他設備監視装置３６，３８，４０から受信機１０に送信される下りイベント電文１５０−１を示す。下りイベント電文１５０−１は、汎用伝送ライン３２の伝送インタフェースである例えばＲＳ−２３２Ｃに対応したヘッダ１５２、データ１５４及びＣＲＣ１５５で構成されている。
【０１１０】
データ１５４の部分には、宛先の監視端末１５の設置場所を示すエリア情報１５６、送信時刻を示すタイムスタンプなどの時刻情報１５８、送信元を示すベンダ識別子１６０、及び監視端末１５に対する表示や制御の内容を示す端末制御情報１６２で構成されている。なお時刻情報１５８については、監視端末１５側で処理が必要ない場合には除くことができる。
【０１１１】
図８（Ｂ）は受信機１０から火災感知器１４に送信される下りイベント電文１５０−２を示す。下りイベント電文１５０−２は、８ビット構成を取るコマンド１６４、アドレス１６６、データ１６８及びチェックサム１７０で構成され、それぞれの先頭にはスタートビットが配置され、末尾にはパリティビットＰＲとストップビットが配置されている。
【０１１２】
データ１６８には、図８（Ａ）に示す他設備監視装置３６，３８，４０から受信した下りイベント電文１５０−１に含まれるベンダ識別子１６０と端末制御情報１６２が配置される。またアドレス１６６は、図８（Ａ）の下りイベント電文１５０−１に含まれるエリア情報１５６をエリア管理テーブル５６の参照により変換した感知器アドレスが配置される。
【０１１３】
図８（Ｃ）は火災感知器１４から監視端末１５に送信される下りイベント電文１５０−３を示す。下りイベント電文１５０−３は、図８（Ｂ）の下りイベント電文１５０−２のデータ１６８に配置されているベンダ識別子１６０と端末制御情報１６２を含み、先頭にスタートビットを配置し、末尾にパリティビットＰＲとストップビットを配置している。
【０１１４】
なお、図８の下りイベント電文１５０−１〜１５０−３における端末制御情報１６２についても、オンオフ情報以外に画像データなどを送ることが可能であり、したがって端末制御情報１６２としては、８ビット単位に適宜に増減可能な可変長のデータとすることができる。
【０１１５】
図９は図２の受信機１０に設けたエリア管理テーブル５６の詳細を示した説明図である。図９において、エリア管理テーブル５６は系統１〜ｎに分けて作られており、各系統ごとに感知器アドレス００１〜２５５が割り当てられ、感知器アドレスのそれぞれに対応して、エリア情報として建物のフロアや部屋名が登録されている。
【０１１６】
このため、感知器アドレスによりエリア管理テーブル５６を参照することでエリア情報に変換することができ、またエリア情報によりエリア管理テーブル５６を参照することで感知器アドレスに変換することができる。
【０１１７】
図１０は図２の他設備管理テーブル５２の詳細を示した説明図である。図１０において、他設備管理テーブル５２は他設備を示すベンダ識別子と設備名で構成されている。したがって、上りイベント電文に含まれるベンダ識別子により他設備管理テーブル５２を参照することで、宛先となる設備名を特定することができる。設備名としては、特定の名称であってもよいし、汎用伝送ライン３２のＲＳ−２３２Ｃインタフェースにおけるネットワークアドレスなどであってもよい。
【０１１８】
図１１は図２の他設備監視装置３６に設けた端末管理テーブル１０８の詳細を示した説明図である。図１１において、端末管理テーブル１０８には、監視端末を示す端末識別子、監視端末におけるセンサ、表示、制御といった種別、更に監視端末の設置場所を示すエリア情報が予め登録されている。
【０１１９】
このため、他設備監視装置３６で特定の監視端末に対し制御や表示といったイベント情報を送りたい場合には、端末管理テーブル１０８の端末識別子からエリア情報を取得し、取得したエリア情報を用いて、図８（Ａ）に示す下りイベント電文１５０−１を作成して受信機側に送信すればよい。
【０１２０】
図１２は第１実施形態における防災監視システムにおける通常監視時の伝送タイミングを示したタイムチャートである。図１２にあっては、受信機１０に対し４台の火災感知器１４−１〜１４−４を示しており、火災感知器１４−１〜１４−４のアドレスをアドレス１〜４としている。受信機１０は、一括ＡＤ変換コマンド１７２を送信した後、一定間隔で２５５の最大感知器数に対応したアドレスを順次指定したポーリングコマンド１７６−１〜１７６−２５５を送信し、その後、再び一括ＡＤ変換コマンド１７２を送信する。
【０１２１】
一括ＡＤ変換コマンド１７２を受信した火災感知器１４−１〜１４−４は、一斉に火災検出情報のサンプリング１７４−１〜１７４−４を行い、サンプリングしたデータと火災レベルを比較し、火災検出の有無を判断している。
【０１２２】
ポーリングコマンド１７６−１，１７６−２，１７６−３，１７６−４，・・・のそれぞれに対しては正常監視動作を示す応答１７８−１〜１７８−４を送信する。もし火災感知器側から応答が得られない場合には、受信機１０にあっては、その火災感知器を障害として処理することになる。
【０１２３】
図１３は本実施形態における火災発生時の伝送タイミングを示したタイムチャートである。図１３において、一括ＡＤ変換コマンド１７２による火災感知器１４−１〜１４−４のサンプリング１７４−１〜１７４−４において、例えば火災感知器１４−１で火災判断が行われたとすると、次のポーリングコマンド１７６−１のタイミングで割込信号１８０を送信する。
【０１２４】
この割込信号を受けて受信機１０は、グループ検索コマンドによるポーリング１８２を行う。グループ検索コマンド１８２に対し、火災感知器１４−１を含むグループアドレスが判別され、その内、火災を検出している火災感知器１４−１がグループ応答として割込応答１８４を送信する。
【０１２５】
この割込応答１８４により受信機１０は、火災感知器１４−１を含む８台の火災感知器のグループで火災検出が行われることを認識し、火災感知器１４−１のアドレス１からアドレス８までを順次指定しながらグループ内検索のためのポーリングコマンド１８６−１，１８６−２，・・・を送信する。
【０１２６】
このとき１番目のポーリングコマンド１８６−１に対し、火災を検出している火災感知器１４−１が火災応答１８８を行う。これによって受信機１０は、アドレス１の火災感知器１４−１で火災検出が行われたことを認識し、感知器アドレスからエリア情報に変換し、火災警報表示を行うことになる。
【０１２７】
図１４は本実施形態における火災監視処理を示したタイムチャートである。図１４において、受信機１０は、ステップＳ１で一括ＡＤ変換コマンドを送信し、これを受けて火災感知器１４が、ステップＳ２でＡＤ変換により検出データを取得し、ステップＳ３で火災レベルを超えることで火災を検出したとする。
【０１２８】
続いて、火災感知器１４のアドレスを指定した受信機１０からのステップＳ４におけるポーリングコマンドに対し、ステップＳ５で火災感知器１４が割込応答を送信する。これを受けて、ステップＳ６で受信機１０はグループ１の検索コマンドを送信する。ここで、火災を検出した火災感知器がグループ２に所属していたとすると、ステップＳ６のグループ１の検索コマンドに対し、火災感知器１４はステップＳ７で無応答となる。
【０１２９】
続いて受信機１０は、ステップＳ８でグループ２の検索コマンドを送信し、火災を検出している火災感知器１４はグループ２に属することから、ステップＳ９で割込応答を送信する。ステップＳ９の割込応答を受信した受信機１０は、ステップＳ１０でグループアドレス内の感知器アドレスの第１番目を指定し、グループ内第１検索コマンドを送信する。
【０１３０】
ここで、受信機１０がグループ内の第２アドレスであったとすると、ステップＳ１１で無応答となる。次に受信機１０は、ステップＳ１２でグループ内第２検索コマンドを送信する。これに対し、受信機１０は自己アドレスを判別し、ステップＳ１３で火災応答を送信する。
【０１３１】
ステップＳ１３の火災応答に対し、受信機１０は、ステップＳ１４で火災を検出した感知器アドレスを認識し、火災警報処理を実行する。更にステップＳ１５で必要に応じて他設備に火災移報を行う。
【０１３２】
これを受けてデータベースサーバ３４にあっては、火災検出情報を含むセンサレコードを生成し、センサデータベース１００に格納する。同時に、火災検出情報を含むセンサレコードの加工により避難誘導経路情報を含む加工済レコードを生成し、加工済データベース１０２に格納し、検索要求があれば検索結果として応答する。
【０１３３】
またステップＳ１５の火災移報を受けて他設備監視装置３６にあっては、ステップＳ１７で火災移報処理を実行する。
【０１３４】
続いて受信機１０は、ステップＳ１８でグループ内第３検索コマンドを送信し、これに対してはステップＳ１９で無応答となり、以下、グループに属する８番目となるグループ内第８検索コマンドまでの送信をステップＳ２０で行い、これに対してもステップＳ２１で無応答となり、その後、ステップＳ２２から再び通常のポーリングに移行する。
【０１３５】
図１５は第１実施形態における上りイベント電文の伝送処理を示したタイムチャートである。図１５において、監視端末１５においてステップＳ３１で非常押ボタンの操作などによりイベントが発生すると、ステップＳ３２で図７（Ａ）に示す上りイベント電文１３２−１を作成して火災感知器１４に送信する。
【０１３６】
火災感知器１４は、ステップＳ３３で、受信した上りイベント電文に基づき図７（Ｂ）に示す感知器の上りイベント電文１３２−２を生成する。一方、受信機１０にあっては、ステップＳ３４で、通常のポーリングにより例えば火災感知器１４のアドレスを指定したポーリングを行う。このポーリングに対し火災感知器１４は自己アドレスとの一致を判別し、ステップＳ３５で割込応答を送信する。割込応答を受信した受信機１０は、ステップＳ３６でグループ１の検索コマンドを送信する。
【０１３７】
ここで火災感知器１４がグループ２に属していたとすると、ステップＳ３７で無応答となる。続いて受信機１０は、ステップＳ３８でグループ２の検索コマンドを送信する。このとき火災感知器１４はグループ２に属していることから、ステップＳ３９で割込応答を送信する。
【０１３８】
これによって受信機１０は、割込みを行った火災感知器１４がグループ２に属していることを認識でき、続いてグループ内の感知器アドレスを順次指定した検索コマンドを送信する。即ち、ステップＳ４０でグループ内の第１検索コマンドを送信し、これに対してはステップＳ４１で無応答となる。
【０１３９】
続いてステップＳ４２でグループ内第２検索コマンドを送信するが、これが割込みを行った火災感知器１４の感知器アドレスに一致し、ステップＳ４３で上りイベント電文を受信機１０に送信する。
【０１４０】
受信機１０は、ステップＳ４４で、受信した上りイベント電文に基づき図７（Ｃ）に示す受信機での上りイベント電文１３２−３を生成し、ステップＳ４５でデータベースサーバ３４及び他設備監視装置３６に送信する。
【０１４１】
データベースサーバ３４はステップＳ４６で上りイベント電文を受信し、イベント電文に含まれているエリア情報、時刻情報及びイベント情報に基づきセンサレコードを生成してセンサデータベース１００に格納する。
【０１４２】
また、他設備監視装置３６は、ステップＳ４７で受信機１０からの上りイベント電文を受信し、イベント電文に含まれているエリア情報、時刻情報及びイベント情報に基づき、所望の監視処理を実行する。
【０１４３】
続いて受信機１０は、ステップＳ４８〜Ｓ４９でグループ内第３検索コマンドから最後の第８検索コマンドまでを順次送信するが、これに対し火災感知器１４側は、ステップＳ５０〜Ｓ５１に示すように無応答となり、その後、再びステップＳ５２で通常のポーリングに戻る。
【０１４４】
図１６は本実施形態における下りイベント電文の伝送処理を示したタイムチャートである。図１６において、他設備監視装置３６で監視端末１５に対するイベント情報を送信するためのイベントがステップＳ６１で発生すると、ステップＳ６３で図８（Ａ）に示した下りイベント電文１５０−１を生成して受信機１０に送信する。
【０１４５】
一方、受信機１０にあっては、ステップＳ６２で火災感知器１４に対し通常のポーリングを行っている。続いてステップＳ６４で他設備監視装置３６から下りイベント電文を受信すると、図８（Ｂ）に示す下りイベント電文１５０−２を生成し、ステップＳ６５で、下りイベント電文に変換した感知器アドレスに対するポーリングタイミングで、下りイベント電文を火災感知器１４に送信する。
【０１４６】
火災感知器１４は、受信機１０からの下りイベント電文を受信すると、ステップＳ６６で図８（Ｃ）に示した感知器の下りイベント電文１５０−３を生成し、ステップＳ６７で監視端末１５に対し電文を送信する。
【０１４７】
監視端末１５は、ステップＳ６８で受信した感知器からの下りイベント電文を解読し、イベント情報に含まれる制御、表示などの処理を行う。この下りイベント電文の伝送が済むと、受信機１０はステップＳ６９で再び通常のポーリングに戻る。
【０１４８】
図１７は図２の監視端末１５のＣＰＵ７６に設けた端末処理部７８による端末処理を示したフローチャートである。図１７において、端末処理は、ステップＳ７１でイベント発生を判別すると、ステップＳ７２に進み、イベントデータを読み込み、ステップＳ７３でベンダ識別子を付加した上りイベント電文を作成し、ステップＳ７４で電文を火災感知器１４に送信する。
【０１４９】
一方、ステップＳ７５で火災感知器１４から下りイベント電文を受信した場合には、ステップＳ７６で電文を解読し、電文のイベント情報に基づき、ステップＳ７７で監視端末における制御、表示、処理を実行する。
【０１５０】
図１８は図２の火災感知器１４のＣＰＵ５８に設けた火災検出部６０及び感知器中継部６２による感知器処理を示したフローチャートである。図１８において、感知器処理は、ステップＳ８１で受信機１０からのポーリングを判別すると、ステップＳ８２で正常応答を送信する。
【０１５１】
続いてステップＳ８３で上りイベント電文を監視端末から受信したことを判別すると、ステップＳ８４で感知器アドレスを付加した上りイベント電文を作成し、ステップＳ８５で自己の感知器アドレスを指定したポーリングに対し割込応答を送信する。
【０１５２】
続いてステップＳ８６でグループ検索コマンドを受信すると、ステップＳ８７で割込応答を送信する。続いてステップＳ８８で自己アドレスを指定したポーリングコマンドを受信すると、ステップＳ８９において上りイベント電文を送信する。続いてステップＳ９０で下りイベント電文の受信を判別すると、ステップＳ９１で感知器アドレスを外した下りイベント電文を作成し、ステップＳ９２で下りイベント電文を監視端末に送信する。
【０１５３】
一方、ステップＳ９３で火災検出を判別した場合には、ステップＳ９４で火災情報送信処理を実行する。この火災情報送信処理はステップＳ８４〜Ｓ８９と基本的に同じであり、ステップＳ８９における処理が火災応答の送信となる。
【０１５４】
図１９は図２の受信機１０に設けたＣＰＵ４２における火災監視処理部４４及び受信機中継部４６による受信機処理を示したフローチャートである。図１９の受信機処理において、ステップＳ１０１で正常監視のためのポーリングコマンドの送信を行っており、ステップＳ１０２で正常監視応答が受信されない場合には、ステップＳ１０３で、そのポーリングコマンドの感知器アドレスについて感知器障害処理を行う。
【０１５５】
続いてステップＳ１０４で火災感知器側からの割込受信を判別すると、ステップＳ１０５で割込感知器の検索処理を実行する。この検索処理は、まずグループ検索コマンドを送信し、応答が得られたグループにつき、グループ内の感知器アドレスを順次指定したポーリングを行い、割込みを発生した火災感知器を検索する。続いてステップＳ１０６で、検索した火災感知器にポーリングコマンドを送信し、上りイベント電文を送信させる。
【０１５６】
続いてステップＳ１０７で火災感知器からの電文が上りイベント電文の受信であることを判別すると、ステップＳ１０８に進み、上りイベント電文を読み込んで解読し、ステップＳ１０９で感知器アドレスからエリア情報を生成し、またステップＳ１１０で時刻情報を生成し、ステップＳ１１１でエリア情報と時刻情報を付加した上りイベント電文を作成し、ステップＳ１１２でベンダ識別子で特定される他設備に対し上りイベント電文を送信する。
【０１５７】
一方、ステップＳ１０７でポーリングコマンドに対する応答が上りイベント電文でなかった場合には、ステップＳ１１３に進み、火災応答の受信か否かチェックし、火災応答の受信であった場合には、ステップＳ１１４で火災受信警報処理を実行することになる。
【０１５８】
またステップＳ１１５で他設備監視装置から下りイベント電文が受信されたことを判別すると、ステップＳ１１６で下りイベント電文を読み込んで解読し、ステップＳ１１７でエリア情報から感知器アドレスを生成し、ステップＳ１１８で、生成した感知器アドレスのポーリングタイミングで下りイベント電文を送信する。
【０１５９】
図２０は図２のデータベースサーバ３４のＣＰＵ９２に設けたデータベース管理部９４及びデータベース加工部９６によるデータベースサーバ処理を示したフローチャートである。
【０１６０】
図２０において、データベースサーバ処理は、ステップＳ１２１で初期化処理を行った後、ステップＳ１２２で受信機１０からの上りイベント電文の受信の有無をチェックしており、上りイベント電文を受信すると、ステップＳ１２３に進み、上りイベント電文に含まれる少なくとも検出情報（イベント情報）を抽出し、ステップＳ１２４で例えば図４に示したようなセンサレコード１１８を生成してセンサデータベース１００に保存する。
【０１６１】
続いてステップＳ１２２でデータベース加工タイミングの有無をチェックしている。データベース加工タイミングは、所定時間の経過時またはセンサレコードが所定数得られたときなどに判別される。
【０１６２】
加工タイミングを判別すると、ステップＳ１２６でセンサデータベース１００から該当するセンサレコードを読み出して所定の加工処理を実行し、例えば図５に示したような加工済レコードを生成して加工済データベース１０２に保存する。
【０１６３】
続いてステップＳ１２８で他設備監視装置３６からのデータベース検索要求を下りイベント電文により受信すると、受信した検索要求の検索条件に基づき、ステップＳ１２９で加工済データベース１０２の検索処理を実行する。この検索処理により得られた検索データ即ち加工済レコードについて、ステップＳ１３０で要求元に対し検索結果を上りイベント電文に含めて応答する。
【０１６４】
図２１は本発明による防災監視システムの第２実施形態を示した説明図であり、監視エリア毎にエリアコントローラを設け、エリアコントローラにデータベースサーバとしての機能を持たせたことを特徴とする。
【０１６５】
図２１において、防災センタなどに設置された受信機１０からは、建物内の警戒区域に向けて火報伝送ライン１２が引き出されており、火報伝送ライン１２には例えば建物の階別などのエリアＡ，Ｂに分けてエリアコントローラ１７０が配置される。エリアコントローラ１７０からは受信機１０と同様に火報伝送ライン１２が引き出され、エリアＡ，Ｂの各々に設置している伝送機能を備えた火災感知器１４が接続されている。
【０１６６】
エリアコントローラ１７０のそれぞれには固有のコントローラアドレスが予め設定されている。コントローラアドレスは例えば８ビットアドレスであり、したがって火報伝送ライン１２の１回線当たり最大２５５アドレスまで接続可能であるが、エリア数は大規模設備であってもそれほど多くはならないので、アドレス容量としては充分に余裕がある。
【０１６７】
エリアコントローラ１７０からの火報伝送ライン１２に接続された火災感知器１４のそれぞれにも固有の感知器アドレスが予め設定されている。感知器アドレスは例えば８ビットアドレスであり、したがって火報伝送ライン１２の１回線当たり最大２５５アドレスまでの火災感知器１４を接続することができる。しかし、他設備の監視端末によるトラヒックの増加を考慮し、例えば１ライン当りの感知器接続数を最大アドレスの１／４となる６４台に制限する。
【０１６８】
受信機１０とエリアコントローラ１７０の間、及びエリアコントローラ１７０と火災感知器１４の間の火報伝送ライン１２の伝送は、図１の第１実施形態と同様に、火報ライン伝送プロトコルに従って行う。
【０１６９】
火報ライン伝送プロトコルによる伝送処理をエリアコントローラ１７０と火災感知器１４について具体的に説明すると次のようになる。
【０１７０】
エリアコントローラ１７０は、通常の監視時にあっては、感知器アドレスを順次指定した正常監視用のポーリングコマンドを送信しており、火災感知器１４は自己の設定アドレスに一致するポーリングコマンドを受信すると、正常監視応答を行う。このためエリアコントローラ１７０にあっては、ポーリングコマンドに対し応答がなかった火災感知器１４があった場合には、その火災感知器の障害を検出することになる。
【０１７１】
火災感知器１４は、エリアコントローラ１７０の全ての感知器アドレスに対するポーリングコマンドの送信周期ごとに繰り返し出力される一括ＡＤ変換コマンドを受信した際に、内蔵した火災検出機構における煙濃度や温度などのアナログ検出データをサンプリングし、予め定めた火災レベルと比較し、火災レベルを超えたときに火災を検出するようにしている。
【０１７２】
火災感知器１４で一括ＡＤ変換コマンドに基づくサンプリング結果から火災を判断した場合には、その後の自己の感知器アドレスを指定したポーリングコマンドのタイミングで、エリアコントローラ１７０に対し割込信号を送信する。割込信号は応答ビットをオール１とするような通常は使用されない信号を送る。
【０１７３】
エリアコントローラ１７０は火災感知器１４側からの割込信号を受信すると、グループ検索コマンドを発行して、火災検出した火災感知器を含むグループからの割込応答を受信してグループを判別し、続いて、判別したグループに含まれる個々の火災感知器に対し、順次アドレスを指定したポーリングを行い、火災応答を受けることで、火災を検出した火災感知器１４の感知器アドレスを認識し、火災検出情報と感知器アドレスから変換したエリア情報を含む火災監視情報を生成し、生成した火災監視情報を受信機１０に同じく火報ライン伝送プロトコルに従って伝送し、火災警報を行わせる。
【０１７４】
エリアコントローラ１７０からの火報伝送ライン１２に接続される最大６４台の火災感知器１４は、例えば８台ごとにグループアドレスが設定されており、エリアコントローラ１７０からのグループ検索コマンドに対し、火災を検出している感知器が含まれるグループから割込応答が行われ、火災を検出している火災感知器１４を含むグループを特定できるようにしている。
【０１７５】
一方、火報ライン伝送プロトコルによる伝送処理を受信機１０とエリアコントローラ１７０の間の伝送について具体的に説明すると次のようになる。
【０１７６】
受信機１０は、通常の監視時にあっては、コントローラアドレス１４を順次指定した正常監視用のポーリングコマンドを送信しており、エリアコントローラ１７０は自己の設定アドレスに一致するポーリングコマンドを受信すると、正常監視応答を行う。このため受信機１０にあっては、ポーリングコマンドに対し応答がなかったエリアコントローラ１７０が存在した場合には、そのエリアコントローラ１７０の障害を検出することになる。
【０１７７】
エリアコントローラ１７０において火災検出情報の生成により送信要求が発生すると、その後の自己のコントローラアドレスを指定したポーリングコマンドのタイミングで、受信機１０に対し割込信号を送信する。
【０１７８】
受信機１０はエリアコントローラ１７０側からの割込信号を受信すると、グループ検索コマンドを発行して、送信要求が発生したエリアコントローラを含むグループからの割込応答を受信してグループを判別し、続いて、判別したグループに含まれる個々のエリアコントローラに対し、順次アドレスを指定したポーリングを行い、アドレス一致でエリアコントローラ１７０から送信された火災監視情報を受信し、火災監視情報に含まれる火災検出情報とエリア情報に基づき火災警報処理を実行する。
【０１７９】
このような火報伝送ライン１２を介して受信機１０、エリアコントローラ１７０及び伝送機能を有する火災感知器１４を接続した防災監視システムに加え、第２実施形態にあっては、同じ施設内に防犯監視システム、省エネルギーシステム、及び入退出管理システムといった他の設備が同時に設置されており、この他設備に対応して他設備監視装置３６，３８，４０が設置されている。
【０１８０】
また火災感知器１４を設置しているエリアＡ，Ｂ毎の警戒区域には、他設備監視装置３６，３８，４０に対応して監視端末として、非常押釦装置１６、人数カウンタ１８、電力センサ２０、ＣＯセンサ２２、温度センサ２４、カードリーダ２６、ＲＦＩＤタグ３０や携帯電話用の無線中継器３０などが図１の第１実施形態と同様に設置されている。
【０１８１】
これらの監視端末は、所定のイベントを検出した時に、送信先の他設備を特定する宛先識別子となるベンダ識別子と検出情報を含む上りイベント信号を火災感知器１４に送信する。また監視端末には表示機能や制御機能が設けられている場合があり、この場合には火災感知器１４から制御用のイベント信号を受信して処理を実行する。更に、監視端末以外に、制御専用の制御端末を設ける場合もある。
【０１８２】
監視端末としての非常押釦装置１６、人数カウンタ１８、電力センサ２０、ＣＯセンサ２２、温度センサ２４、カードリーダ２６、無線中継器２８のそれぞれは、火災感知器１４に対し無線回線で接続されている。例えば非常押釦装置１６で押ボタン操作によるイベントが発生すると、送信先（宛先）を示すベンダ識別子（ベンダＩＤ）と、非常押ボタンのオンオフを示すイベント情報（検出情報）をもつ上りイベント電文が生成されて無線送信され、通信可能エリアに存在する火災感知器１４で受信される。
【０１８３】
非常押釦装置１６からの上りイベント電文を受信した火災感知器１４は、上りイベント電文に感知器アドレスを含ませた上りイベント電文に変換してエリアコントローラ１７０に火報ライン伝送プロトコルに従って送信する。
【０１８４】
即ち、火災感知器１４が非常押釦装置１６から上りイベント電文を受信すると、エリアコントローラ１７０からの感知器アドレスを指定したポーリングコマンドの受信に対し、火災検出時と同様に割込信号を送信する。
【０１８５】
エリアコントローラ１７０は火災感知器１４からの割込信号を受信すると、グループ検索コマンドを送信し、上りイベント電文を受信した火災感知器からの割込応答を受信することで、グループアドレスを特定する。
【０１８６】
グループアドレスを特定したら、グループ内に含まれる８台の火災感知器１４の感知器アドレスを順次指定したポーリングを行う。このため上りイベント電文を受信している火災感知器１４は、受信機１０からのグループ内の感知器アドレスを指定したポーリングによる自己アドレスの判別で、感知器アドレスを含ませた上りイベント電文を火報伝送ライン１２を介してエリアコントローラ１７０に送信する。
【０１８７】
エリアコントローラ１７０は火災感知器１４から上りイベント電文を受信すると、それまでに受信した自己及び他の監視端末からの情報に基づき、所定のアルゴリズムに従った演算を実行し、集約された監視情報を作成し、これに感知器アドレスなどから作成したエリア情報と時刻情報を付加した上りイベント電文を生成し、火報ライン伝送プロトコルに従って受信機１０に伝送する。
【０１８８】
更に、エリアコントローラ１７０には、火災感知器１４及び非常押釦装置１６、人数カウンタ１８、電力センサ２０、ＣＯセンサ２２、温度センサ２４、カードリーダ２６、無線中継器２８など監視端末による検出情報を収集してデータベースに蓄積し、更に、データベースに蓄積した検出情報を加工して加工済データをデータベースサーバ３４に転送する機能が設けられる。
【０１８９】
受信機１０に対しては、データベースサーバ３４及び他設備監視装置３６，３８，４０が汎用伝送ライン１８を介して接続されている。汎用伝送ライン１８としては、例えばＲＳ−２３２ＣやＲＳ−４８５などの伝送インタフェースが適用された伝送ラインを使用する。イーサネット（Ｒ）等を使用しても良い。
【０１９０】
受信機１０はエリアコントローラ１７０から上りイベント電文を受信すると、上りイベント電文に含まれるベンダ識別子により指定される送信先である例えば他設備監視装置２０に上りイベント電文を送信する。
【０１９１】
他設備監視装置２０は受信機１０から受信した上りイベント電文を解読し、そこに含まれているエリア情報、時刻情報、更に集約された監視情報に基づき、エリアコントローラ１７０を設置したエリアで発生した監視情報に応じた表示、制御、処理、保存などの処理を行うことになる。
【０１９２】
また他設備監視装置３６，３８，４０は、それぞれに対応して設けた監視端末及び制御端末に対し、表示、制御などの適宜の処理のために下りイベント電文を送信することができる。
【０１９３】
例えば他設備監視装置２０から非常押釦端末装置２６に情報を送って表示させたい場合には、この表示情報を制御情報とし、非常押釦端末装置２６の設置場所を示すエリア情報を含む下りイベント電文を、汎用伝送ライン１８を介して受信機１０に送信する。
【０１９４】
受信機１０は下りイベント電文を受信すると、そのエリア情報から該当するコントローラアドレス１４を識別し、そのエリアコントローラ１７０のポーリングタイミングで、下りイベント電文をアドレス指定されたエリアコントローラ１７０に送信する。
【０１９５】
エリアコントローラ１７０は下りイベント電文を受信すると、そこに含まれる制御情報を取り出し、所定のアルゴリズムに従って制御情報を解析し、１又は複数の制御端末の処理に必要な端末制御情報に変換し、変換した端末制御情報にエリア情報から変換した感知器アドレスを加えた下りイベント電文を作成し、火報ライン伝送プロトコルに従って対応する1又は複数の火災感知器１４に送信する。
【０１９６】
火災感知器１４は下りイベント電文を受信すると、そのまま下りイベント電文として監視端末又は制御端末に送信する。監視端末又は制御端末は、受信した下りイベント電文に含まれる端末制御情報に基づき、例えば非常押釦装置２６における表示動作などを行う。
【０１９７】
データベースサーバ３４はエリアＡ，Ｂに設けたエリアコントローラ１７０から受信機１０を経由して転送された検出データから処理した加工済データをデータベースに格納して蓄積し、他設備監視装置３６，３８，４０からの下りイベント電文による検索要求基づいてデータベースの加工済データを検索し、検索結果として応答送信する。
【０１９８】
図２２及び図２３は、図２１の受信機１０、エリアコントローラ１７０、火災感知器１４、監視端末１５及び代表として示す他設備監視装置３６の詳細を示したブロック図である。
【０１９９】
図２２及び図２３において、受信機１０、火災感知器１４、監視端末１５、及び他設備監視装置３６は図２の第１実施形態と基本的に同じであることから、同一符号を付して説明を省略する。相違点は、受信機１０及び火災感知器１４がエリアコントローラ１７０との間で伝送を行う点である。
【０２００】
第２実施形態で新たに設けたエリアコントローラ１７０にはＣＰＵ１７４が設けられ、プログラムの実行により実現されるエリアコントローラ中継部１７４の機能として監視演算部１７６と制御演算部１７８を設けている。
【０２０１】
更に、データベース機能としてＣＰＵ１７４にデータベース管理部９４データベース加工部９６が設けられている。データベース管理部９４とデータベース加工部９６は図２の第２実施形態でデータベースサーバ３４に設けたと同じ機能である。
【０２０２】
ＣＰＵ１７４に対しては火報伝送部１８４，１８６が設けられ、受信機１０から引き出された火報伝送ライン１２を火報伝送部１８４に接続し、また火報伝送部１８６から引き出された火報伝送ライン１２に火災感知器１４を接続している。
【０２０３】
なお、エリアコントローラ１７０に対する電源供給は受信機１０からの火報伝送ライン１２により行われ、また火災感知器１４に対する電源供給はエリアコントローラ１７０から引き出された火報伝送ライン１２により行っている。
【０２０４】
更にＣＰＵ１７２に対しては、他設備管理テーブル５２、火災監視データベース５４、エリア内管理テーブル１９０及びセンサデータベース１００が設けられている。
【０２０５】
他設備監視テーブル５２は第１実施形態と同じであり、図１０に示す内容を持っている。火災監視データベース５４は図２の第１実施形態と同じであり、火災監視に必要な各種の情報、例えば火災感知器１４における煙や熱といった種別、更には図示しない制御機器に対する連動情報などが格納されている。エリア内管理テーブル１９０には、感知器アドレスを、感知器設置場所を示す警戒エリア、ブロック、フロア情報などに変換するためのエリア情報が格納されている。
【０２０６】
監視演算部１７６は、火災感知器１４を経由して複数の監視端末１５から受信した上りイベント電文に含まれる検出情報を、演算により所定の監視情報に集約し、集約した監視情報を含む上りイベント信号を受信機１０を経由して対応する他設備監視装置３６に送信する。
【０２０７】
制御演算部１７８は、記受信機１０を経由して他設備監視装置３６から受信した下りイベント電文に含まれる制御情報を、演算により１又は複数の監視端末に分配する端末制御情報に変換し、変換した端末制御情報を含む下りイベント電文を火災感知器１０を経由して対応する１又は複数の監視端末１５に送信する。
【０２０８】
データベース管理部９４は火災感知器１４から受信した上りイベント電文に含まれる漢詩端末１５の検出情報を抽出してセンサデータベース１００に格納する。データベース加工部９６は、センサデータベース１００に収集蓄積された検出情報を加工して加工済データを生成し、加工済データを含む上りイベント電文を生成して受信機１０を経由してデータベースサーバ３４に送信する。
【０２０９】
エリアコントローラ１７０のＣＰＵ１７２に設けた監視演算部１７６と制御演算部１７８は、次の監視制御を実行する。
（１）火災監視制御
（２）防犯監視制御
（３）省エネルギー監視制御
（４）入退出監視制御
監視演算部１７６による火災監視制御は、火災感知器１４からの火災検出に基づく上りイベント電文に基づき、エリア内管理テーブル１９０を参照し、感知器アドレスをエリア情報に変換し、このエリア情報に火災検出情報を加えた火災監視情報を含む上りイベント電文を火災受信機１０に伝送する。
【０２１０】
これに加え監視演算部１７６にあっては、例えば火災感知器１４からの火災検出情報、ＣＯセンサ２２からのＣＯガス検出情報、及び人数カウンタ１８からの人数情報について、各情報の時間による変化量をセンサデータベース１００に蓄積しておき、蓄積された情報に対し総合的に判断することにより、例えば危険度のような火災監視に必要な情報に加工する複数の情報を集約して１つの情報にまとめる演算を実行し、その演算結果として得られた例えば火災危険度のような情報を受信機１０に送信し、火災危険度がプリアラームレベルを超えたときにプリアラームを出し、更に火災レベルを超えたときに火災警報を出すようなことができる。
【０２１１】
一方、制御演算部１７８は、受信機１０でエリアコントローラ１７０からの火災監視情報に基づき火災警報を出した際に、火災が発生したエリア情報に対し防排煙及び避難誘導といった制御情報を含む下りイベント電文を受信し、この制御情報を解読することで、エリア内に設置している例えば防排煙機器、防火戸及び避難誘導灯に対する端末制御情報を作成し、対応する火災感知器１４のアドレスを指定した下りイベント電文を送信し、防排煙機器の起動、防火戸のラッチ解除、更には避難誘導灯の点灯制御などを行わせる。
【０２１２】
即ち制御演算部１７８は、火災受信機１０からのエリアを対象とした総合的な制御情報を解析して複数の端末制御情報に分配し、分配した端末制御情報を、対応する感知器アドレスを指定した下りイベント電文により送信し、対応する制御機器を動作させる。
【０２１３】
このように、エリアコントローラ１７０の監視演算部１７６にあっては、火災感知器１４を含む端末機器からの検出情報の複数を１つに集約して得られた演算結果としての監視情報を作成して受信機１０側に伝送するため、火災感知器１４からの複数の上りイベント電文が１つにまとめられて受信機１０に送ることができ、これによって受信機１０に対する伝送のトラフィックを小さくして、受信機１０の処理負担を低減することができる。
【０２１４】
この点は制御演算部１７８についても同様であり、受信機１０からの１つの制御情報を分析して、複数の制御機器あるいは監視端末に対する端末制御情報に分配し、それぞれ下りイベント電文として送信することで、受信機１０からのトラフィックを小さくして、受信機１０側の処理負担を低減することができる。
【０２１５】
次に防犯監視制御を対象とした場合、監視演算部１７６は、火災感知器１４を経由して例えば非常押釦装置１６及び人数カウンタ１８からのイベント検出に基づく上りイベント電文を受信し、防犯監視のためのセンサにおける時間的な変化がセンサデータベース１００に保存し、センサ側からの情報が特定のイベント例えば非常押釦操作を判別したとき、そのときのセンサデータベース１００に格納している例えば人数カウンタ１８の人数情報に基づき所定の演算を行って、集約された１つの防犯監視情報を生成し、この防犯監視情報を含む上りイベント電文を受信機１０を経由して他設備監視装置３６に送信し、必要な防犯監視のための警報を行う。
【０２１６】
また制御演算部１７８は、受信機１０を経由して他設備監視装置３６から受信した包括的な防犯制御情報を含む下りイベント電文を解読し、制御端末である例えば施錠装置などの防犯制御機器に対する１または複数の端末制御情報を所定の演算により生成し、この端末制御情報を含む下りイベント電文を、火災感知器１４を介して対応する防犯制御機器に送信し、侵入者撃退用のアラーム、ドア施錠ロックなどの防犯制御を行う。
【０２１７】
次に省エネルギー監視制御を対象とした場合、監視演算部１７６は、火災感知器１４を経由して、ＣＯセンサ２２、電力センサ２０及び温度センサ２４の各イベント検出に基づく上りイベント電文を受信し、必要に応じてセンサデータベース１００に格納する。
【０２１８】
この状態で監視演算部１７６は、例えばＣＯガス濃度、消費電力及び室内温度などを総合的に判断し、対象エリアにおける省エネルギー情報を所定の演算により集約し、演算された省エネルギー情報を含む上りイベント電文を、受信機１０を介して他設備監視装置３６に送る。
【０２１９】
このエリアコントローラ１７０から送られた省エネルギー監視情報に基づき、他設備監視装置３６側は現在の省エネルギー状況を判断し、もし更なる省エネルギーを図る必要があれば、省エネルギーを促進させるための制御情報をエリアコントローラ１７０のコントローラアドレスを指定して、受信機１０経由で伝送する。
【０２２０】
制御演算部１７８は、受信機１０を経由して受信した他設備監視装置３６からの省エネルギー制御情報につき、火災感知器１４を経由して、省エネルギー制御機器である例えば空調制御機器、照明制御機器、電力制御機器といった端末制御機器に対し、１または複数の端末制御情報を作成して下りイベント電文により送信し、更に省エネを促進するため、空調制御機器により室内温度を下げ、照明制御機器により不必要な照明を消灯し、更に電力制御端末により、エリア内で稼動している電気機器の運転モードを省エネモードに切り替え、省エネルギーの度合を促進させる制御を行う。
【０２２１】
更に入退出監視制御の場合、監視演算部１７６は、火災感知器１４を介して人数カウンタ１８とカードリーダ２６における人数情報及びカードリーダの読取情報のそれぞれにつき、上りイベント電文を入力し、センサデータベース１００に格納する。
【０２２２】
この状態で監視演算部１７６は、例えばカードリーダ２６からカード読取に基づく上りイベント電文を受信するごとに、受信機１０を経由して他設備監視装置３６に上りイベント電文を送るような処理は行わず、例えば予め定めた一定時間例えば１０分単位に、センサデータベース１００に格納された人数カウンタ１８の検出情報やカードリーダ２６の読取情報に基づき、現在のエリアコントローラ１７０の設置エリアにおける人数情報を演算し、これを上りイベント電文に含めて、受信機１０を経由して他設備監視装置３６に伝送する。
【０２２３】
これによって、人数カウンタ１８やカードリーダ２６のイベント検出ごとに受信機１０を経由して他設備監視装置３６に上りイベント電文を送る必要がなく、エリアコントローラ１７０で集約された情報として送ることができるため、受信機１０との間のトラフィック及び処理負担を低減することができる。
【０２２４】
一方、制御演算部１７６は、他設備監視装置３６からエリアコントローラ１７０を設置しているエリアの入退出開始時刻と入退出終了時刻などの１つのまとまった制御情報が出されることから、この制御情報を含む下りイベント電文を制御演算部１７８で受信解読し、エリアに設置している例えばドア開閉装置やゲート開閉装置に対する端末制御情報を１または複数生成し、火災感知器１４を経由して下りイベント電文を送信し、入退出の開始及び入退出の終了に伴うドア開閉装置やゲート開閉装置の制御を行う。
【０２２５】
この場合にも、他設備監視装置３６側からの１つの制御情報を送るだけで、エリアコントローラ１７０においてエリアに設置している複数の端末制御情報に分配して転送制御でき、受信機１０及び他設備監視装置２７側のトラフィックと処理負担を低減することができる。
【０２２６】
なお本実施形態におけるエリアコントローラ１７０を使用した監視演算機能及び制御演算機能は、他設備監視装置における防災監視、省エネルギー監視、入退出管理などの適宜の用途に応じ専用の演算を行うエンジンを準備すればよく、適宜のシステムにおける監視制御を対象とすることができる。
【０２２７】
またエリアコントローラ１７０における各種システムに対応した監視演算部及び制御演算部としては、１つのエリアコントローラ１７０におけるＣＰＵのエンジンとして複数エンジンを設けるようにしてもよいし、監視演算及び制御演算の機能ごとにエリアコントローラを別々に設置して並列的に動作させるような形態をとってもよい。
【０２２８】
またエリアコントローラ１７０に設けたセンサデータベース１００に端末側のセンサ情報や端末情報を格納し、その内容から１つの集約した監視情報を求める演算を行うようにしているが、別のデータベースに予め必要なデータをダウンロードして保存しておき、これに端末側のセンサ情報を加えて、総合的な判断により、まとまった監視情報を作成して上位側に伝送するようにしてもよい。
【０２２９】
また監視演算部及び制御演算部として機能する判断ロジックのエンジンについては、追加、削除、バージョンアップなど、受信機１０を経由した上位側の他設備監視装置３６からのダウンロードにより行うことが可能である。
【０２３０】
図２４は第２実施形態のエリアコントローラにおけるデータベースサーバとしての処理機能をデータベースサーバと共に示したブロック図である。
【０２３１】
図２４において、エリアコントローラ１７０には、図２２のＣＰＵ１７２に示した機能としてデータベース管理部９４とデータベース加工部９６が設けられている。データベース管理部９４は、火報伝送部１８６により火災感知器１４を経由して、監視端末である例えば非常押釦装置１６、ＣＯセンサ２２、人数カウンタ１８、電力センサ２０、更にはＲＦＩＤタグ３０からの情報を中継する無線中継器２８で検出された検出情報を含む上りイベント信号を受信する。
【０２３２】
また火災感知器１４は、そのセンサ部６６として煙センサ１４−１または熱センサ１４−２として機能し、これらについても必要に応じて、煙データや熱データをセンサデータとして上りイベント電文により受信することができる。
【０２３３】
データベース管理部９４は、火報伝送部１８６により受信した上りイベント電文に含まれている検出情報であるイベント情報を取り出し、例えば図４に示したと同じセンサレコード１１８を生成し、生成したセンサレコード１１８をセンサデータベース１００に格納する。
【０２３４】
即ちデータベース管理部９４は、エリアコントローラ１７０が設置された監視エリアに設置している火災感知器１４や各種の監視端末で検出された検出情報を収集・蓄積する処理を行っている。
【０２３５】
データベース加工部９６は、センサデータベース１００にセンサレコードが蓄積された所定のタイミング、例えば一定期間経過時あるいは所定数のセンサレコード蓄積時に起動し、センサデータベース１００に蓄積しているセンサレコードに基づいて加工処理を実行し、加工済データを生成する。
【０２３６】
このデータベース加工部９６による加工処理は、センサデータベース１００に記録されているセンサレコードのみならず、エリアコントローラ１７０に予め準備している個人ＩＤデータベース１１０、履歴学習データベース１１２、加工事例データベース１１４、更には建物地図データベース１１６を使用して、必要な加工データを生成する。
【０２３７】
データベース加工部９６により得られる加工データとしては、例えば第１実施形態について図５に示した避難誘導レコード１２０、空調省エネルギーレコード１２２、商品販売レコード１２４あるいは来客レコード１２６などがある。データベース加工部９６で作成された加工データは、火報伝送部１８４により受信機１０を介して、上りイベント電文に含めてデータベースサーバ３４に送信される。
【０２３８】
データベースサーバ３４は、汎用伝送部９８−１、データベース管理部９５、更に加工済データに対応して例えば避難誘導データベース１０２−１、省エネルギー情報データベース１０２−２及び商品提供情報データベース１０２−３を設けており、更にデータベース管理部９５は汎用伝送部９８−２を介して、他設備監視装置３６，３８，４０との間で電文伝送を行うことができる。
【０２３９】
データベースサーバ３４のデータベース管理部９５は、受信機１０を介して接続している複数のエリアコントローラ１７０から転送された加工済データを、加工済データの種別に応じ避難誘導データベース１０２−１、省エネルギー情報データベース１０２−２または商品提供情報データベース１０２−３に格納している。
【０２４０】
この状態で他設備監視装置３６，３８，４０側から下りイベント電文により検索要求を受信すると、検索条件に従って対象とするデータベースを検索し、検索結果を上りイベント電文に含ませて応答する。
【０２４１】
この第２実施形態のエリアコントローラ１７０及びデータベースサーバ３４にあっては、データベース管理処理とデータベース加工処理を各エリアコントローラ１７０に分散し、上位に位置するデータベースサーバ３４は各エリアコントローラ１７０でセンサデータから加工した加工済データを収集・蓄積し、他設備監視装置３６，３８，４０からの検索要求に対し検索結果として加工済データを提供するため、上位に位置するデータベースサーバ３４の処理負担を大幅に低減することができると同時に、エリアコントローラ１７０から加工済データを転送することから、第１実施形態のようにセンサデータをすべて転送する場合に比べ、データベースサーバ３４に対するエリアコントローラ１７０側からのトラフィックを低減することができる。
【０２４２】
図２５及び図２６は第２実施形態における上りイベント電文のフォーマットを示した説明図である。図２５（Ａ）は監視端末２５から火災感知器１４に送信される上りイベント電文１３２−１であり、図７（Ａ）の第１実施形態と同じである。
【０２４３】
図２５（Ｂ）は火災感知器１４からエリアコントローラ１７０に送信される上りイベント電文１１４−２であり、図７（Ｂ）の第１実施形態と同じである。
【０２４４】
図２６（Ｃ）はエリアコントローラ１７０から受信機１０に送信される上りイベント電文１３２−３１を示す。データ１９６の部分には、図２５（Ｂ）の上りイベント電文１３２−２のデータ１３８を構成しているベンダ識別子１３４と監視演算により求めた監視情報２０２に加え、上りイベント電文１３２−２の感知器アドレスから変換したエリア情報１４６と、上りイベント電文１３２−２の受信時刻に対応したタイムスタンプなどを用いた時刻情報１４８を付加している。
【０２４５】
図２６（Ｄ）は受信機１０から他設備監視装置３６に送信される上りイベント電文１３２−３２を示す。上りイベント電文１３２−３２は、汎用伝送ライン３２の伝送インタフェースである例えばＲＳ−２３２Ｃに対応したフォーマットとして、ヘッダ１４２、データ１１４４及びＣＲＣ１４５で構成され、この点は図７（Ｃ）の第１実施形態と同じであるが、データ１４４の部分には、エリア情報１４６、時刻情報１４８、ベンダ識別子１３４及び第２実施形態に固有な監視情報２０２が含まれている。
【０２４６】
図２７は第２実施形態における下りイベント電文のフォーマットを示した説明図である。図２７（Ａ）は他設備監視装置３６から受信機１０に送信される下りイベント電文１５０−１であり、図８（Ａ）の第１実施形態と同じであるが、データ１５４の中に第２実施形態に固有な監視端末１５に対する包括的な制御内容を示す制御情報２０４で配置されている。
【０２４７】
図２７（Ｂ）は受信機１０からエリアコントローラ１７０に送信される下りイベント電文１５０−２１を示す。下りイベント電文１５０−２１は、図８（Ｂ）の第１実施形態と同じであるが、データ１６８の中に第２実施形態に固有な制御演算により生成された端末制御情報２０６が配置されている。
【０２４８】
図２７（Ｃ）はエリアコントローラ１７０から火災感知器１４に送信される下りイベント電文１５０−２２を示す。下りイベント電文１５０−２２は、８ビット構成を取るコマンド２０８、アドレス２１０、データ２１2及びチェックサム２１４で構成され、それぞれの先頭にはスタートビットが配置され、末尾にはパリティビットＰＲとストップビットが配置されている。
【０２４９】
データ２１４には、図２７（Ａ）に示す他設備監視装置３６から受信した下りイベント電文１５０−１に含まれるベンダ識別子１６０と、制御情報２０４に基づいて所定の演算で求めた端末制御情報１６０が配置される。またアドレス２１０には、制御情報２０４に基づく制御演算で求めた端末制御情報２０６の宛先となる制御機器に通信可能な感知器アドレスが配置される。
【０２５０】
図２７（Ｄ）は火災感知器１４から監視端末２５に送信される下りイベント電文１５０−３を示す。下りイベント電文１５０−３は、図２７（Ｃ）の下りイベント電文１５０−２２のデータ２１２に配置されているベンダ識別子１６０と端末制御情報２０６を含み、先頭にスタートビットを配置し、末尾にパリティビットＰＲとストップビットを配置している。
【０２５１】
なお、図２７の下りイベント電文１５０−１，１５０−２１，１５０−２２，１５０−４における制御情報２０４，端末制御情報２０６についても、オンオフ情報以外に画像データなどを送ることが可能であり、したがって制御情報２０５，端末制御情報２０６としては、８ビット単位に適宜に増減可能な可変長のデータとすることができる。
【０２５２】
図２８は図２２のエリアコントローラ１７０に設けたエリア内管理テーブル１９０の詳細を示した説明図であり、エリアを１Ｆ〜ｎＦの階別に分けてエリアコントローラを設置し、この場合に各エリアコントローラに設けられるｎ個のエリア内管理テーブル１９０−１〜１９０−ｎに分けて示している。
【０２５３】
図２８において、例えば１Ｆのエリア内管理テーブル１９０−１を例にとると、１つのエリアにつき感知器アドレス００１〜０６４が割り当てられ、感知器アドレスのそれぞれに対応して、エリア情報として建物のフロアや部屋名が登録されている。
【０２５４】
このため、感知器アドレスによりエリア管理テーブル５４−１を参照することでエリア情報に変換することができ、またエリア情報によりエリア管理テーブル５４−１を参照することで感知器アドレスに変換することができる。
【０２５５】
図２９は図２の受信機１０に設けたエリア・他設備管理テーブル１９４の詳細を示した説明図であり、図２９（Ａ）のエリア管理テーブル１９４−１と図２９（Ｂ）の他設備管理テーブル１９４−２に分けて示している。
【０２５６】
図２９（Ａ）のエリア管理テーブル１９４−１はエリア名とコントローラアドレスの関係を登録している。このため下りイベント電文に含まれるエリア名によりエリア管理テーブル１９４−１を参照することで、対応するエリアコントローラ１７０のアドレスを取得して伝送することができる。
【０２５７】
図２９（Ｂ）の他設備管理テーブル１９４−２は他設備を示すベンダ識別子と設備名で構成されている。したがって、上りイベント電文に含まれるベンダ識別子により他設備管理テーブル１９４−２を参照することで、宛先となる設備名を特定することができる。設備名としては、特定の名称であってもよいし、汎用伝送ライン３２のＲＳ−２３２Ｃインタフェースにおけるネットワークアドレスなどであってもよい。
【０２５８】
図３０は第２実施形態のエリアコントローラと火災感知器における火災発生時の伝送タイミングを示したタイムチャートである。図３０において、エリアコントローラ１７０は、ステップＳ１４１で一括ＡＤ変換コマンドを送信し、これを受けて火災感知器１４が、ステップＳ１４２でＡＤ変換により検出データを取得し、ステップＳ１４３で火災レベルを超えることで火災を検出したとする。
【０２５９】
続いて、火災感知器１４のアドレスを指定したエリアコントローラ１７０からのステップＳ１４４におけるポーリングコマンドに対し、ステップＳ１４５で火災感知器１４が割込応答を送信する。これを受けて、ステップＳ１４６でエリアコントローラ１７０はグループ１の検索コマンドを送信する。ここで、火災を検出した火災感知器がグループ２に所属していたとすると、ステップＳ１４６のグループ１の検索コマンドに対し、火災感知器１４はステップＳ１４７で無応答となる。
【０２６０】
続いてエリアコントローラ１７０は、ステップＳ１４８でグループ２の検索コマンドを送信し、火災を検出している火災感知器１４はグループ２に属することから、ステップＳ１４９で割込応答を送信する。ステップＳ９の割込応答を受信したエリアコントローラ１７０は、ステップＳ１５０でグループアドレス内の感知器アドレスの第１番目を指定し、グループ内第１検索コマンドを送信する。
【０２６１】
ここで、エリアコントローラ１７０がグループ内の第２アドレスであったとすると、ステップＳ１５１で無応答となる。次にエリアコントローラ１７０は、ステップＳ１５２でグループ内第２検索コマンドを送信する。これに対し、火災感知器１４は自己アドレスを判別し、ステップＳ１５３で火災応答を送信する。ステップＳ１５３の火災応答に対し、エリアコントローラ１７０は、ステップＳ１５４で火災を検出した感知器アドレスを認識する。
【０２６２】
続いてグループ内の第３アドレス〜第７アドレスにつき同様な処理を行うが、無応答さなり、ステップＳ１５５でグループ内の最終アドレスの検索コマンドを送り、ステップＳ１５６で無応答となると、ステップＳ１５７で火災監視演算により作成した火災監視情報を含む上りイベント電文を火報ライン伝送アルゴリズムに従って受信機１０に送信する火災情報送信処理を実行する。
【０２６３】
受信機１０はステップＳ１５８でエリアコントローラ１７０からの上りイベント信号を受信し、ステップＳ１５９で火災検出情報とエリア情報に基づき火災警報処理を実行する。
【０２６４】
図３１は第２実施形態における上りイベント電文の伝送処理を示したタイムチャートである。図３１において、監視端末１５がステップＳ１６１で非常押釦操作などによりイベントが発生すると、ステップＳ１６２で図２５（Ａ）に示した上りイベント電文１３２−１を作成し、火災感知器１４に無線送信する。
【０２６５】
火災感知器１４は、ステップＳ１６３で監視端末１５からの上りイベント電文１３２−１を受信し、エリアコントローラ１７０に送信する図２５（Ｂ）に示した上りイベント電文１３２−２を作成する。続いて、火災感知器１４のステップＳ１６４とエリアコントローラ１７０のステップＳ１６５において、火報ライン伝送アルゴリズムに従った上り電文送信処理と上り電文受信処理が行われ、これによって火災感知器１４から上りイベント電文１３２−２がエリアコントローラ１７０に送信される。
【０２６６】
続いて火災感知器１４は、ステップＳ１６６で図示しない他の監視端末から上りイベント電文１３２−１を受信してエリアコントローラ１７０に送信する上りイベント電文１３２−２を作成し、火災感知器１４におけるステップＳ１６７とエリアコントローラ１７０におけるステップＳ１６８の処理により、火報ライン伝送アルゴリズムに従った上り電文送信処理と上り電文受信処理を実行し、上りイベント電文１３２−２をエリアコントローラ１７０に送信する。
【０２６７】
更に火災感知器１４は、ステップＳ１６９で図示しない他の監視端末からの上りイベント電文を受信し、エリアコントローラ１７０に送信する上りイベント電文１３２−２を作成し、ステップＳ１７０及びステップＳ１７１で火報ライン伝送アルゴリズムに従った電文送信処理と電文受信処理を行い、ステップＳ１６９で作成した上りイベント電文１３２−２をエリアコントローラ１７０に送信する。
【０２６８】
エリアコントローラ１７０にあっては、ステップＳ１６４，Ｓ１６７及びＳ１７０の３回の上り電文受信処理で受信した火災感知器１４からの上りイベント電文１３２−２に含まれている３つのイベント情報を対象に、ステップＳ１７２で監視情報を生成する所定の演算を実行し、図２６（Ｃ）に示す上りイベント電文１３２−３１を作成し、エリアコントローラ１７０におけるステップＳ１７３と受信機１０におけるステップＳ１７４の火報ライン伝送アルゴリズムに従った上り電文送信処理と上り電文受信処理により、ステップＳ１７２の演算で作成した監視情報を含む上りイベント電文１３２−３１を受信機１０に送信する。
【０２６９】
受信機１０にあっては、ステップＳ１７５で受信した上りイベント電文１３２−３１に基づき、図２６（Ｄ）に示すデータベースサーバ３４及び他設備監視装置３６に送信するための上りイベント電文１３２−３２を作成し、ステップＳ１７６で汎用ラインの上り電文送信処理により他設備監視装置３６に送信し、これを他設備監視装置３６がステップＳ１７６で汎用ラインの上り電文送信処理により受信し、受信した上りイベント電文１３２−３２に含まれるエリア情報１４６、時刻情報１４８、ベンダ識別子１３４、更に監視情報２０２に基づき、例えば防災監視のための受信警報処理などを実行する。
【０２７０】
エリアコントローラ１７０はステップＳ１７７で例えばステップ１６５，Ｓ１６８，Ｓ１７１の各々で受信した上りイベント信号から取り出したイベント情報（検出情報）につき、図４に示したようなセンサレコード１１８を生成してセンサデータベース１００に格納する。
【０２７１】
またエリアコントローラ１７０はセンサデータの収集蓄積につき所定時間経過や所定数蓄積といった加工タイミングへの到達を判別すると、ステップＳ１７８でデータベース加工処理を実行し、生成された加工済データをステップＳ１７９，Ｓ１８０の火報ラインの電文送受信処理によりエリアコントローラ１７０から受信機１０に送り、更にステップＳ１８１の汎用ラインの電文送信処理により図示しないデータベースサーバ３４に送信してその加工済データベース１０２に格納させる。
【０２７２】
図３２は第２実施形態における下りイベント電文伝送処理を示したタイムチャートである。図３２において、他設備監視装置３６で監視端末１５に対する制御情報を送信するためのイベントがステップＳ１９１で発生すると、ステップＳ１９２で図２７（Ａ）に示した下りイベント電文１５０−１を作成し、汎用ラインの下り電文送信処理により受信機１０に送信する。
【０２７３】
受信機１０は、ステップＳ１９３で他設備監視装置３６からの下りイベント電文１５０−１を受信し、これに基づき、図２７（Ｂ）に示すエリアコントローラ１７０に対する下りイベント電文１５０−２１を作成し、ステップＳ１９４の受信機１０における火報ラインの下り電文送信処理と、エリアコントローラ１７０におけるステップＳ１９５の火報ラインの下り電文受信処理との連携により、火報ライン伝送アルゴリズムに従って、下りイベント電文１５０−２１をエリアコントローラ１７０に送信する。
【０２７４】
エリアコントローラ１７０は、ステップＳ１９６で、受信した下りイベント電文１５０−２１の制御情報２０４に基づき、自分のエリアに存在する制御端末を対象とした端末制御情報を演算し、図２７（Ｃ）に示す火災感知器１４に送信するための下りイベント電文１５０−２２を作成し、ステップＳ１９７で火報ラインの下り電文送信処理と、火災感知器１４のステップＳ１９８における火報ラインの下り電文受信処理の連携により、火報ライン伝送アルゴリズムにより、下りイベント電文１５０−２２をエリアコントローラ１７０から火災感知器１４に送信する。
【０２７５】
火災感知器１４はステップＳ１９９で、エリアコントローラ１７０から受信した下りイベント電文１５０−２２に含まれる制御情報２０４を持つ図２７（Ｄ）に示す下りイベント電文１５０−３を作成し、監視端末１５に無線により下り電文を送信する。監視端末１５は、ステップＳ２００で火災感知器１４から受信した下りイベント電文１５０−３を解読し、その端末制御情報２０６に基づく処理を実行する。
【０２７６】
一方、エリアコントローラ１７０にあっては、ステップＳ１９６の端末制御情報の演算において、監視端末１５のみならず他の監視端末や制御端末に対する端末制御情報も同時に演算しており、このように演算した他の端末制御情報につき、ステップＳ２０１及びＳ２０２のそれぞれで火報伝送ラインの下り電文送信処理の実行により、端末制御情報を含む下りイベント電文１５０−３を、対応する監視端末または制御端末に無線により送信して、端末制御情報に基づく処理を実行させる。
【０２７７】
図３３は図２２のエリアコントローラ１７０に設けたＣＰＵ１７２による処理の基本を示したフローチャートである。図３３において、エリアコントローラ処理はステップＳ２１１の火災監視処理と、ステップＳ２１２のデータベース処理を実行している。
【０２７８】
図３４は図３３のステップＳ２１１におけるエリアコントローラ処理の詳細を示したフローチャートである。図３４において、ステップＳ２２１で正常監視のためのポーリングコマンドの送信を行っており、ステップＳ２２２で正常監視応答が受信されない場合には、ステップＳ２２３で、そのポーリングコマンドの感知器アドレスについて感知器障害処理を行う。
【０２７９】
続いてステップＳ２２４で火災感知器側からの割込受信を判別すると、ステップＳ２２５で割込感知器の検索処理を実行する。この検索処理は、まずグループ検索コマンドを送信し、応答が得られたグループにつき、グループ内の感知器アドレスを順次指定したポーリングを行い、割込みを発生した火災感知器を検索する。続いてステップＳ２２６で、検索した火災感知器にポーリングコマンドを送信し、上りイベント電文を送信させる。
【０２８０】
続いてステップＳ２２７で火災感知器からの電文が上りイベント電文の受信であることを判別すると、ステップＳ２２８に進み、上りイベント電文を読み込んでそれまでに受信した他のイベント電文の内容と合わせた所定の演算により集約した監視情報を生成し、ステップＳ２２９で感知器アドレスからエリア情報を生成し、またステップＳ２３０で時刻情報を生成し、ステップＳ２３１でエリア情報と時刻情報を付加した上りイベント電文を作成し、ステップＳ２３２で火報ライン伝送アルゴリズムの送信処理により上りイベント電文を受信機１０に送信する。
【０２８１】
一方、ステップＳ２２７でポーリングコマンドに対する応答が上りイベント電文でなかった場合には、ステップＳ２３３に進み、上り火災電文の受信か否かチェックし、上り火災電文であった場合には、ステップＳ２３４で火災検出情報及び感知器アドレスを含む上り火災電文を作成し、火報ライン伝送プロトコルの電文送信処理により受信機１０に送信する。
【０２８２】
またステップＳ２３５で受信機１０から下りイベント電文が受信されたことを判別すると、ステップＳ２３６で下りイベント電文を読み込んで解読し、更に所定の演算により１又は複数の制御端末に対する端末制御情報を求め、ステップＳ２３７でエリア情報から感知器アドレスを生成し、ステップＳ２３８で、生成した感知器アドレス及び端末監視情報を含む下りイベント電文を、対応する感知器アドレスのポーリングタイミングで火災感知器１４に送信する。
【０２８３】
図３５は図３３のステップＳ２１２におけるデータベンス管理処理の詳細を示したフローチャートである。図３５において、ステップＳ２４１で火災感知器１４からの上りイベント電文の受信を判別すると、ステップＳ２４２で電文中から検出情報（イベント情報）を抽出する。続いてステップＳ２４３で図４に示したようなセンサレコード１１８を生成し、センサデータベース１００に保存する。
【０２８４】
またステップＳ２４４で所定のデータベース加工タイミングへの到達を判別すると、ステップＳ２４５に進み、センサデータベース１００からセンサレコードを読出して加工処理を実行し、ステップＳ２４６で図５に示したような加工済データを生成し、受信機１０を経由してデータベースサーバ３４に送信して保存させる。
【０２８５】
図３６は図２２の受信機１０に設けた火災監視処理部４４及び受信機中継部４６による受信機処理を示したフローチャートである。図３６の受信機処理において、ステップＳ２５１で正常監視のためのポーリングコマンドの送信を行っており、ステップＳ２５２で正常監視応答が受信されない場合には、ステップＳ２５３で、そのポーリングコマンドのアドレスについてエリアコントローラの障害処理を行う。
【０２８６】
続いてステップＳ２５４でエリアコントローラ１７０側からの割込受信を判別すると、ステップＳ２５５で割込要求を出したエリアコントローラ１７０の検索処理を実行する。この検索処理は、まずグループ検索コマンドを送信し、応答が得られたグループにつき、グループ内の感知器アドレスを順次指定したポーリングを行い、割込みを発生したエリアコントローラ１７０を検索する。続いてステップＳ２５６で、検索したエリアコントローラ１７０にポーリングコマンドを送信し、上りイベント電文を送信させる。
【０２８７】
続いてステップＳ２５７でエリアコントローラ１７０からの電文が上りイベント電文の受信であることを判別すると、ステップＳ２５８に進み、上りイベント電文を読み込んでベンダ識別子から宛先となる他設備を認識し、ステップＳ２５９で認識した他設備に対し汎用ラインの上り電文送信処理により上りイベント電文を送信する。
【０２８８】
一方、ステップＳ２５７でポーリングコマンドに対する応答が上りイベント電文でなかった場合には、ステップＳ２６０進み、上り火災電文の受信か否かチェックし、上り火災電文であった場合には、ステップＳ２６１で火災受信警報処理を実行することになる。
【０２８９】
またステップＳ２６２で他設備監視装置から下りイベント電文が受信されたことを判別すると、ステップＳ２６３で下りイベント電文を読み込んで解読し、ステップＳ２６４でエリア情報からコントローラアドレスを生成し、ステップＳ２６５で、生成したコントローラアドレスのポーリングタイミングで火報ライン伝送プロトコルに従った下り電文送信処理により下りイベント電文をエリアコントローラ１７０に送信する。
【０２９０】
なお、上記の実施形態にあっては、火災感知器１４と監視端末１５との間を電波回線で接続するようにしているが、これ以外に赤外線や超音波などの回線で接続するようにしてもよい。
【０２９１】
また上記の実施形態にあっては、通常監視時は火災感知器を順次ポーリングして正常監視応答を求め、火災検出時には割込信号を送信して、グループ検索及びグループ内検索により火災を検出した火災感知器を特定して火災応答を出させるという火報ライン伝送プロトコルを使用しているが、本発明は、この火報用の伝送プロトコルに限定されず、受信機一台に対し複数台の火災感知器を接続して、１対ｎのポーリング伝送を行う適宜の伝送プロトコルを利用してイベント電文の上り及び下りの双方向伝送を行わせても良い。
【０２９２】
また上記の実施形態にあっては、エリアコントローラ１７０に対する電源供給を、受信機からの火報ラインにより行っているが、エリアコントローラ１７０に受信機１０と同様に主電源部と予備電源部を設け、受信機１０から独立した電源供給としても良い。
【０２９３】
また本発明における防災監視システムに組み合わせる他設備としては、同じ建物や施設内に設置する設備であれば、その用途や種類による限定は受けない。
【０２９４】
また本発明は、その目的と利点を損なうことのない適宜の変形を含み、更に上記の実施形態に示した数値による限定は受けない。
【図面の簡単な説明】
【０２９５】
【図１】本発明による防災監視システムの第１実施形態を示した説明図
【図２】図１の受信機、火災感知器、イベント端末及び他設備監視装置の詳細を示したブロック図
【図３】第１実施形態におけるデータベースサーバの処理機能を示したブロック図
【図４】第１実施形態のデータベースサーバで保存するセンサレコードを示した説明図
【図５】第１実施形態のデータベースサーバで生成する加工済レコードを示した説明図
【図６】第１実施形態の受信機と火災関知器の間で伝送される呼出電文と応答電文のフォーマットを示した説明図
【図７】第１実施形態における上りイベント電文のフォーマットを示した説明図
【図８】第１実施形態における下りイベント電文のフォーマットを示した説明図
【図９】図２のエリア管理テーブルの詳細を示した説明図
【図１０】図２の他設備管理テーブルの詳細を示した説明図
【図１１】図２の端末管理テーブルの詳細を示した説明図
【図１２】第１実施形態における通常監視時の伝送タイミングを示したタイムチャート
【図１３】第１実施形態における火災発生時の伝送タイミングを示したタイムチャート
【図１４】第１実施形態における火災監視処理を示したタイムチャート
【図１５】第１実施形態における上りイベント電文の伝送処理を示したタイムチャート
【図１６】第１実施形態における下りイベント電文の伝送処理を示したタイムチャート
【図１７】図１のイベント端末による端末処理を示したフローチャート
【図１８】図１の火災感知器による感知器処理を示したフローチャート
【図１９】図１の受信機による受信機処理を示したフローチャート
【図２０】図１のデータベースサーバによる処理を示したフローチャート
【図２１】本発明による防災監視システムの第２実施形態を示した説明図
【図２２】図２１の受信機、エリアコントローラ、火災感知器、監視端末、データベースサーバ及び他設備監視装置の詳細を示したブロック図
【図２３】図２２に続く監視端末の詳細を示したブロック図
【図２４】第２実施形態におけるデータベースサーバの処理機能を示したブロック図
【図２５】第２実施形態における上りイベント電文のフォーマットを示した説明図
【図２６】図２５に続く上りイベント電文のフォーマットを示した説明図
【図２７】第２実施形態における下りイベント電文のフォーマットを示した説明図
【図２８】図２２のエリアコントローラに設けたエリア内管理テーブルの詳細を示した説明図
【図２９】図２２の受信機に設けたエリア・他設備管理テーブルの詳細を示した説明図
【図３０】第２実施形態における火災監視処理を示したタイムチャート
【図３１】第２実施形態における上りイベント電文の伝送処理を示したタイムチャート
【図３２】第２実施形態における下りイベント電文の伝送処理を示したタイムチャート
【図３３】図２２のエリアコントローラによる基本的な処理を示したフローチャート
【図３４】図３３のステップＳ２１１における火災監視処理の詳細を示したフローチャート
【図３５】図３３のステップＳ２１２におけるデータベース管理処理の詳細を示したフローチャート
【図３６】図２１の受信機による受信機処理を示したフローチャート
【符号の説明】
【０２９６】
１０：受信機
１１：監視エリア
１２：火報伝送ライン
１４：火災感知器
１５：監視端末
１６：非常押釦装置
１８：人数カウンタ
２０：電力センサ
２２：ＣＯセンサ
２４：温度センサ
２６：カードリーダ
２８：無線中継器
３０：ＲＦＩＤ
３２：汎用伝送ライン
３４：データベースサーバ
３６，３８，４０：他設備監視装置
４２，５８，７６，９２，１７２：ＣＰＵ
４４：火災監視部
４６：受信機中継部
４８，６４，１８４，１８６：火報伝送部
５０，９８，９８−１，９８−２，１０４：汎用伝送部
５２，１８６：他設備管理テーブル
５４，１８８：火災監視データベース
５６：エリア管理テーブル
６０：火災検出部
６２：感知器中継部
６６：センサ部
６８，８４：無線伝送部
７０，８４：アンテナ
７２，８８：記憶部
７４，９０：電源部
７８：端末処理部
８０：非常押し釦
８２：表示部
９４：データベース管理部
９６：データベース加工部
１００：センサデータベース
１０２：加工済データベース
１０２−１：避難誘導データベース
１０２−２：省エネルギーデータベース
１０２−３：商品提供情報データベース
１１０：個人ＩＤデータベース
１１２：履歴学習データベース
１１４：過去事例データベース
１１６：建物地図データベース
１１８：センサレコード
１２０：避難誘導レコード
１２２：空調省エネルギーレコード
１２４：商品販売レコード
１２６：来客レコード
１２８：呼出電文
１３０：応答電文
１３２−１，１３２，１３２−３１，１３２−３２：上りイベント電文
１５０−１〜１５０−３，１５０−３１，１５０−３２：下りイベント電文
１７０：エリアコントローラ
１７４：エリアコントローラ中継部
１７６：監視演算部
１７８：制御演算部
１９０：エリア内管理テーブル
【図１】
0005179938.tif 000002
【図２】
0005179938.tif 000003
【図３】
0005179938.tif 000004
【図４】
0005179938.tif 000005
【図５】
0005179938.tif 000006
【図６】
0005179938.tif 000007
【図７】
0005179938.tif 000008
【図８】
0005179938.tif 000009
【図９】
0005179938.tif 000010
【図１０】
0005179938.tif 000011
【図１１】
0005179938.tif 000012
【図１２】
0005179938.tif 000013
【図１３】
0005179938.tif 000014
【図１４】
0005179938.tif 000015
【図１５】
0005179938.tif 000016
【図１６】
0005179938.tif 000017
【図１７】
0005179938.tif 000018
【図１８】
0005179938.tif 000019
【図１９】
0005179938.tif 000020
【図２０】
0005179938.tif 000021
【図２１】
0005179938.tif 000022
【図２２】
0005179938.tif 000023
【図２３】
0005179938.tif 000024
【図２４】
0005179938.tif 000025
【図２５】
0005179938.tif 000026
【図２６】
0005179938.tif 000027
【図２７】
0005179938.tif 000028
【図２８】
0005179938.tif 000029
【図２９】
0005179938.tif 000030
【図３０】
0005179938.tif 000031
【図３１】
0005179938.tif 000032
【図３２】
0005179938.tif 000033
【図３３】
0005179938.tif 000034
【図３４】
0005179938.tif 000035
【図３５】
0005179938.tif 000036
【図３６】
0005179938.tif 000037